(57)【特許請求の範囲】
【請求項１】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるとともに、
センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するネットワークの作業管理システムであって、
作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、
センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、
当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、
センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させることを特徴とするネットワークの作業管理システム。
【請求項２】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するよう構成されるとともに、
センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、
当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、
センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるネットワークの作業管理システムであって、
作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、
センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、
当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、
センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させることを特徴とするネットワークの作業管理システム。
【請求項３】
作業計画が予め計画された停止日時と停止設備との情報を含む停止計画であり、この停止計画に対し、停止作業開始前に、実施が決定された停止作業を最終的な停止計画としてデータベースに登録することを特徴とする請求項１または２に記載のネットワークの作業管理システム。
【請求項４】
データベースには、停止作業日前に最終的な停止計画を登録するとともに、
センターサーバは、停止作業日の作業開始前に、登録された最終的な停止計画を、停止作業を承認する判別結果を送信した作業対象設備担当端末装置に送信し、
作業対象設備担当端末装置は、センターサーバから登録された最終的な停止計画を受け取ると、登録された停止作業を当日作業として承認するか否かの入力を求め、入力が行われるとその入力結果をセンターサーバに送信し、
センターサーバは、作業対象設備担当端末装置から当日の停止作業について諾否の入力結果を受け取ると、この入力結果に基づいて登録された最終的な停止計画実施について開始の可否を作業担当端末装置に送信して表示させることを特徴とする請求項３に記載のネットワークの作業管理システム。
【請求項５】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、
データベースには、網構成および局内構成を含む物理回線構成情報と機器および機器内の部位情報を含む装置構成情報と論理回線名および論理回線構成を含む論理回線構成情報とが格納されるよう構成され、
センターサーバは、作業担当端末装置から設備の停止または停止解除の作業計画が入力されるとこの作業計画を外部に出力し、作業担当端末装置から作業計画の作業対象設備について選択情報が入力されるとこの選択情報に基づいて作業計画を決定する作業計画管理手段と、
作業計画管理手段から作業対象設備の情報を受け取ると、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを外部に出力する物理網・論理網・局内構成図描画処理手段と、
物理網・論理網・局内構成図描画処理手段から受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する作業対象候補抽出手段とを備え、
物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませるとともに、作業担当端末装置は表示された候補情報から作業対象設備が選択されると、選択情報を作業計画管理手段に送信し、作業計画管理手段は選択情報に基づいて最終的な作業計画を決定することを特徴とするネットワークの作業管理システム。
【請求項６】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、
データベースには、各保守担当域の通信設備に関連付けされた端末装置の情報が格納され、
センターサーバは、作業担当端末装置から設備の停止または停止解除の作業計画が入力されると、外部からの承認情報に基づいてこの作業計画を決定する作業計画管理手段と、
作業担当端末装置から作業対象設備について機器または機器のポート部のうち少なくともいずれか１を選択する選択情報が入力されると、機器または機器のポート部のうち少なくともいずれか１を決定し決定情報を外部に出力する作業対象設備決定手段と、
作業対象設備決定手段から決定情報を受け取ると、この決定情報に基づき、データベースからこの決定された作業対象設備が属する保守担当域を所管する端末装置を抽出し、この作業対象設備を担当する端末装置を特定する情報を外部に出力する作業対象設備担当端末装置抽出手段と、
作業対象設備担当端末装置抽出手段から出力された作業対象設備担当端末装置の特定情報を受け取り、この特定情報に基づき、当該作業対象設備担当端末装置に当該決定情報と作業日時情報とを送信し作業実施を承認するか否かの承認要求を行うとともに、この作業対象設備担当端末装置から作業実施の承認の諾否の情報を受け取ると、この諾否情報を作業計画管理手段に出力する承認処理手段とを備えて構成され、
作業計画管理手段は、承認処理手段から作業について諾否の判別結果を受け取ると、この判別結果に基づいて予定された作業実施の可否を決定するとともに、作業実施の可否の決定を作業担当端末装置に送信して表示させることを特徴とするネットワークの作業管理システム。
【請求項７】
データベースには、網構成および局内構成を含む物理回線構成情報と機器内部位情報を含む装置構成情報と論理回線名および論理回線構成を含む論理回線構成情報とが格納されるとともに、各保守担当域の通信設備に関連付けされた端末装置の情報が格納され、
センターサーバは、作業計画管理手段と物理網・論理網・局内構成図描画処理手段と作業対象候補抽出手段と作業対象設備決定手段と作業対象設備担当端末装置抽出手段と承認処理手段とを備えて構成され、
作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択情報をセンターサーバに送信し、
作業対象設備決定手段は、作業担当端末装置からこの選択情報を受け取ると、選択情報に基づいて機器または機器のポート部のうち少なくともいずれか１を決定して決定情報を出力し、
作業対象設備担当端末装置抽出手段は、この決定情報を受け取ると、この決定情報と作業計画の情報とに基づいて、決定された機器または機器のポート部を自らの保守担当域に有しそれらを管理する作業対象設備担当端末装置を抽出し、
承認処理手段は、抽出された作業対象設備担当端末装置の特定情報に基づいて、抽出された作業対象設備担当端末装置に作業日時の情報とともに決定された機器または決定されたポート部を有する機器の決定情報を送信し、
当該作業対象設備担当端末装置は、作業日時の情報と決定情報とを受け取ると、これら情報に基づいて、予定された作業の実施を承認するか否かの判別を行い、その判別結果をセンターサーバに送信し、
作業計画管理手段は、作業対象設備担当端末装置から承認処理手段を通じて作業実施について諾否の判別結果を受け取ると、この判別結果に基づいて予定された作業実施の可否を決定するとともに、作業実施の可否の決定を作業担当端末装置に送信して表示させることを特徴とする請求項５および６に記載のネットワークの作業管理システム。
【請求項８】
作業計画が予め計画された停止日時と停止設備との情報を含む停止計画であり、
作業計画管理手段は、停止作業日前に、データベースに停止計画に対し実施が決定された停止作業を最終的な停止計画として登録し、
作業対象設備担当端末装置は、停止作業の当日、停止作業開始の所定時間前に、センターサーバから登録された最終的な停止計画を受け取ると、登録された停止作業を当日作業として承認するか否かの判別を行い、その判別結果を、センターサーバに送信するよう構成するとともに、
センターサーバには、停止作業の当日、停止作業開始の所定時間前になると、データベースから登録された最終的な停止計画情報を取り出し、この最終的な停止計画情報に基づいて当日の停止作業の対象となる作業対象設備担当端末装置の特定情報を外部に出力するとともに、上記作業対象設備担当端末装置から停止作業当日の停止作業実施について諾否の判別結果を受け取ると、この判別結果に基づいて登録された最終的な停止計画の実施について開始の可否を作業担当端末装置に送信して表示させる当日作業計画管理手段と、
当日作業計画手段から受け取った作業対象設備担当端末装置の特定情報に基づいて、当日の停止作業の対象となる作業対象設備担当端末装置に、最終的な停止計画情報に含まれる停止日時情報と停止対象設備情報とを送信し、当該作業対象設備担当端末装置から停止作業を当日作業として承認するか否かの判別結果を受け取ると、その判別結果を当日作業計画管理手段に出力する当日作業承認処理手段とを設けたことを特徴とする請求項７に記載のネットワークの作業管理システム。
【請求項９】
停止作業の対象となる通信設備はインターネットプロトコルを有し、ポート部は上記通信設備のＩＰポートであって、
当該通信設備は、センターサーバからの指令に基づいて、回線状態の情報をセンターサーバに送信する回線情報送信手段と、通信設備をオンオフ制御するかまたはポートを開閉制御するかのうち少なくともいずれか１の制御を行う設備側制御手段と、設備側制御手段により制御され実行された結果をセンターサーバに送信する制御情報送信手段とを備え、
センターサーバは、通信により設備側と情報の遣り取りを行うとともに、作業担当端末装置から回線状態の情報を要求する指令を受け取ると、回線情報送信手段に回線状態の情報を要求し、回線情報送信手段から送られてきた回線状態の情報を作業担当端末装置に送信して表示させ、作業担当端末装置から通信設備またはポートのうち少なくともいずれか一方を停止または停止解除を要求する指令を受け取ると、当該通信設備またはポートの情報に基づいて当該通信設備またはポートの設備側制御手段に当該通信設備またはポートの停止または停止解除を実行させ、設備側制御手段により制御され実行された結果を制御情報送信手段から受け取ると、受け取った実行結果を作業担当端末装置に送信して表示させる監視制御システムを備えていることを特徴とする請求項８に記載の通信ネットワークの作業管理システム。
【請求項１０】
監視制御システムは、当日作業計画管理手段と当日承認処理手段とを備えるとともに、
制御コマンドを生成する文法が格納された制御コマンド文法データベースと、
外部から入力される指令に基づいて制御コマンド文法データベースにより該当する回線について回線状態の情報を要求する回線状態情報要求コマンドを生成し、この回線状態情報要求コマンドを該当する通信設備に送信するとともに、外部から入力される指令に基づいて制御コマンド文法データベースにより該当する機器またはポートに対する停止または停止解除要求コマンドを生成し、これら停止または停止解除要求コマンドを該当する通信設備に送信する制御コマンド生成手段と、
当日作業計画管理手段が、作業担当端末装置から回線状態を確認するよう要求する指令を受け取ると、この指令に基づいて回線状態情報要求コマンドを生成するよう制御コマンド生成手段に指令し、この生成された回線状態情報要求コマンドを制御コマンド生成手段を通じて該当する通信設備に送信させ、設備側の回線情報送信手段から回線状態の情報が送られてくると、この回線状態の情報を作業担当端末装置に送信する回線状態確認手段と、
当日作業計画管理手段が、作業担当端末装置から選択された機器またはポートについて停止または停止解除を要求する指令を受け取ると、この指令に基づいて停止または停止解除要求コマンドを生成するよう制御コマンド生成手段に指令し、これら生成された停止または停止解除要求コマンドを制御コマンド生成手段を通じて通信設備の設備側制御手段に送信させ、実行された結果が通信設備の制御情報送信手段から送られてくると、この実行結果を作業担当端末装置に送信して表示させる停止・停止解除制御手段とを備えて構成されることを特徴とする請求項９に記載の通信ネットワークの作業管理システム。
【請求項１１】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するネットワークの作業管理方法であって、
センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するとともに、
作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、
センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、
当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、
センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させることを特徴とするネットワークの作業管理方法。
【請求項１２】
データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、
停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するネットワークの作業管理方法であって、
センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、
当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、
センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるとともに、
作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、
センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、
当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、
センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させることを特徴とするネットワークの作業管理方法。
【請求項１３】
作業計画が予め計画された停止日時と停止設備との情報を含む停止計画であり、停止計画に対し、作業開始前に、実施が決定された停止作業を最終的な停止計画としてデータベースに登録することを特徴とする請求項１１または１２に記載のネットワークの作業管理方法。
【請求項１４】
データベースには、停止作業日の前に最終的な停止計画を登録するとともに、
センターサーバは、停止作業日の作業開始前に、登録された最終的な停止計画を、停止作業を承認する判別結果を送信した作業対象設備担当端末装置に送信し、
作業対象設備担当端末装置は、センターサーバから登録された最終的な停止計画を受け取ると、登録された停止作業を当日作業として承認するか否かの入力を求め、入力が行われるとその入力結果をセンターサーバに送信し、
センターサーバは、作業対象設備担当端末装置から当日の停止作業について諾否の入力結果を受け取ると、この入力結果に基づいて登録された最終的な停止計画実施について開始の可否を作業担当端末装置に送信して表示させることを特徴とする請求項１３に記載のネットワークの作業管理方法。
【発明の詳細な説明】
【技術分野】
【０００１】
本発明は、通信ネットワークの作業管理システムとその管理方法に関し、特に、通信ケーブルおよび通信ネットワークにおけるコンピュータによるネットワークの作業管理システムとその管理方法に関するものである。
【背景技術】
【０００２】
一般に、通信ネットワークの通信設備において予め決められた作業計画に基づいて停止作業を行う場合、事前に運用管理システムに予定停止計画（停止日時、停止対象物（例えば、回線と機器））を入力するようになっている。この予定停止計画に従って実際に停止作業を行う際、作業がインターネットプロトコル機器（以下、ＩＰ機器と称す。）のポート閉塞またはポート閉塞解除を伴う場合、閉塞または閉塞解除の対象となる機器（例えば、ルータ、スイッチ、伝送装置等）と対象となるポートとを、実作業前に予め紙による資料の中から人力による手作業で選び出し、ピックアップしておく。そして、ピックアップされた機器について、作業日の前に、停止日時、停止対象設備を含む予定停止計画を予め運用管理システムに登録するようにしている。この予定停止作業が、作業予定者の保守担当域と異なる担当外の保守担当域で行われる場合、作業予定者は、当該予定停止作業が行われる地域を担当する保守担当者に、予め、予定停止計画を送り、作業実行の承認を得ておく必要がある。承認を得た予定停止計画は最終的に決定処理を行い、監視制御システムに送られることで当日の作業管理を行う。また、作業予定者は作業当日も作業開始前に作業実行の確認の連絡を行い、監視制御システムにて作業開始の登録を行う。実作業終了後は、作業終了の連絡を行って閉塞解除を依頼し、回線状態を確認した後、監視制御システムに作業終了の登録を行うようになっている。
【０００３】
従来、通信ネットワークを管理運用するシステムとして、予め伝送媒体を含む回線・設備情報がデータ化された設備系データを格納したデータベースに基づいて、この設備系データに連繋させて画面に表示された回線に対し、所望の始端および終端装置の区間の伝送媒体を伝搬路として指定し、指定された伝搬路上の回線を、始・終端側の一方から他方に向かって順次隣接する装置間の単一伝送媒体ごとに構成回線として定義付けして回線登録し、回線登録された構成回線に基づいて回線を管理する回線管理システムが提案されている。従来の回線管理システムでは、複数の装置を伝送媒体でループ状に形成したループ回線を含み、かつ、このループ回線の伝送媒体が存在する伝搬路に対し、ループ回線自体を上記単一の伝送媒体に準じて定義付けして回線構成するようにしている。このため、始端装置および終端装置が変わる毎に、回線の繋がりが多様に変化するループ回線区間の伝送媒体を回線構成に含める必要がなく、指定された伝搬路上にいくらループ回線が存在しようとも、ループ回線が単一の伝送媒体と見なされるので、伝搬路上には単一の通信経路が形成され、ループ回線を含めた回線構成を迅速かつ容易に行うことができ、ループ回線の有無やループ回線の多少に拘わらず回線構成を単純化して回線管理を実現することができるようになっている（特許文献１参照）。
【特許文献１】特開２００５−６５０４６号公報（第９−１２頁、図４、５）
【発明の開示】
【発明が解決しようとする課題】
【０００４】
しかしながら、従来のシステムでは、停止作業を予定しているエリアが他の保守担当域に属する場合、他の保守担当域の保守担当者に承認を得て行わなければならず、手間がかかるという問題があった。また、停止作業の予定者が、予定停止計画を作成すると、データベースから回線のデータを入手して、そのデータを当該予定停止作業が行われる地域を担当する保守担当者に送り、当該保守担当者から了承を得る作業を繰り返す必要があり、このため、保守担当者への連絡漏れが発生したり、停止対象誤りに気付かなかったりするという問題があった。
【０００５】
本発明は、上記課題を解決するためになされたもので、簡素な構成でしかも迅速かつ正確に停止作業を行うことができるネットワークの作業管理システムとその管理方法を提供することを目的とするものである。
【課題を解決するための手段】
【０００６】
本発明の請求項１に係るネットワークの作業管理システムは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるとともに、センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するネットワークの作業管理システムであって、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたものである。
【０００７】
本発明の請求項１に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるとともに、センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するネットワークの作業管理システムであって、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたことにより、人手を介さず停止対象とすべき通信設備の候補が表示されるので、検討する時間を短縮することができ、停止対象とすべき通信設備を決定する作業が迅速化される。また、作業者側と停止作業対象設備を有する被作業者側との間の調整が自動化される。
【０００８】
また、本発明の請求項２に係るネットワークの作業管理システムは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するよう構成されるとともに、センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるネットワークの作業管理システムであって、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたものである。
【０００９】
本発明の請求項２に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するよう構成されるとともに、センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるネットワークの作業管理システムであって、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたことにより、自らの保守担当域と異なる他の保守担当域で停止作業を行う際、停止作業承認の依頼と承認の通知との遣り取りをセンターサーバと端末装置とを通じて行うので、作業者側と停止作業対象設備を有する被作業者側との間の調整が自動化される。また、停止対象とすべき通信設備を検討する時間を短縮することができ、停止対象とすべき通信設備を決定する作業が迅速化される。
【００１２】
本発明の請求項３に係るネットワークの作業管理システムは、作業計画が予め計画された停止日時と停止設備との情報を含む停止計画であり、この停止計画に対し、停止作業開始前に、実施が決定された停止作業を最終的な停止計画としてデータベースに登録するようにしたものである。
【００１３】
本発明の請求項３に係るネットワークの作業管理システムでは、作業計画が予め計画された停止日時と停止設備との情報を含む停止計画であり、この停止計画に対し、停止作業開始前に、実施が決定された停止作業を最終的な停止計画としてデータベースに登録するようにしたことにより、停止計画を早めに多数作成することができ、計画作成の時間を有効に利用することができる。
【００１４】
本発明の請求項４に係るネットワークの作業管理システムは、データベースには、停止作業日前に最終的な停止計画を登録するとともに、センターサーバは、停止作業日の作業開始前に、登録された最終的な停止計画を、停止作業を承認する判別結果を送信した作業対象設備担当端末装置に送信し、作業対象設備担当端末装置は、センターサーバから登録された最終的な停止計画を受け取ると、登録された停止作業を当日作業として承認するか否かの入力を求め、入力が行われるとその入力結果をセンターサーバに送信し、センターサーバは、作業対象設備担当端末装置から当日の停止作業について諾否の入力結果を受け取ると、この入力結果に基づいて登録された最終的な停止計画実施について開始の可否を作業担当端末装置に送信して表示させるようにしたものである。
【００１５】
本発明の請求項４に係るネットワークの作業管理システムでは、データベースには、停止作業日前に最終的な停止計画を登録するとともに、センターサーバは、停止作業日の作業開始前に、登録された最終的な停止計画を、停止作業を承認する判別結果を送信した作業対象設備担当端末装置に送信し、作業対象設備担当端末装置は、センターサーバから登録された最終的な停止計画を受け取ると、登録された停止作業を当日作業として承認するか否かの入力を求め、入力が行われるとその入力結果をセンターサーバに送信し、センターサーバは、作業対象設備担当端末装置から当日の停止作業について諾否の入力結果を受け取ると、この入力結果に基づいて登録された最終的な停止計画実施について開始の可否を作業担当端末装置に送信して表示させるようにしたことにより、最新の通信設備情報に基づいて、停止作業の実施を確認するので、確実性が増す。
【００１６】
本発明の請求項５に係るネットワークの作業管理システムは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、データベースには、網構成および局内構成を含む物理回線構成情報と機器および機器内の部位情報を含む装置構成情報と論理回線名および論理回線構成を含む論理回線構成情報とが格納されるよう構成され、センターサーバは、作業担当端末装置から設備の停止または停止解除の作業計画が入力されるとこの作業計画を外部に出力し、作業担当端末装置から作業計画の作業対象設備について選択情報が入力されるとこの選択情報に基づいて作業計画を決定する作業計画管理手段と、作業計画管理手段から作業対象設備の情報を受け取ると、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを外部に出力する物理網・論理網・局内構成図描画処理手段と、物理網・論理網・局内構成図描画処理手段から受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する作業対象候補抽出手段とを備え、物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませるとともに、作業担当端末装置は表示された候補情報から作業対象設備が選択されると、選択情報を作業計画管理手段に送信し、作業計画管理手段は選択情報に基づいて最終的な作業計画を決定するようにしたものである。
【００１７】
本発明の請求項５に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、データベースには、網構成および局内構成を含む物理回線構成情報と機器および機器内の部位情報を含む装置構成情報と論理回線名および論理回線構成を含む論理回線構成情報とが格納されるよう構成され、センターサーバは、作業担当端末装置から設備の停止または停止解除の作業計画が入力されるとこの作業計画を外部に出力し、作業担当端末装置から作業計画の作業対象設備について選択情報が入力されるとこの選択情報に基づいて作業計画を決定する作業計画管理手段と、作業計画管理手段から作業対象設備の情報を受け取ると、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを外部に出力する物理網・論理網・局内構成図描画処理手段と、物理網・論理網・局内構成図描画処理手段から受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する作業対象候補抽出手段とを備え、物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませるとともに、作業担当端末装置は表示された候補情報から作業対象設備が選択されると、選択情報を作業計画管理手段に送信し、作業計画管理手段は選択情報に基づいて最終的な作業計画を決定するようにしたことにより、センターサーバに作業担当端末装置から設備の停止または停止解除の作業計画が入力されると、作業計画管理手段はこの作業計画を仮の作業計画として保持するとともに、作業計画情報を物理網・論理網・局内構成図描画処理手段に出力する。物理網・論理網・局内構成図描画処理手段は、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを作業対象候補抽出手段に出力する。作業対象候補抽出手段は、受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する。物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませて表示させる。作業担当端末装置は、オペレータにより表示された候補情報から作業対象設備が選択されると、選択情報を作業計画管理手段に送信する。作業計画管理手段は、作業計画管理手段は選択情報に基づいて最終的な作業計画を決定する。このため、停止対象とすべき通信設備の候補が関連する図面に含まれて表示されることになり、オペレータは、停止対象とすべき通信設備を決定する作業がし易くなる。
【００１８】
本発明の請求項６に係るネットワークの作業管理システムは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、データベースには、各保守担当域の通信設備に関連付けされた端末装置の情報が格納され、センターサーバは、作業担当端末装置から設備の停止または停止解除の作業計画が入力されると、外部からの承認情報に基づいてこの作業計画を決定する作業計画管理手段と、作業担当端末装置から作業対象設備について機器または機器のポート部のうち少なくともいずれか１を選択する選択情報が入力されると、機器または機器のポート部のうち少なくともいずれか１を決定し決定情報を外部に出力する作業対象設備決定手段と、作業対象設備決定手段から決定情報を受け取ると、この決定情報に基づき、データベースからこの決定された作業対象設備が属する保守担当域を所管する端末装置を抽出し、この作業対象設備を担当する端末装置を特定する情報を外部に出力する作業対象設備担当端末装置抽出手段と、作業対象設備担当端末装置抽出手段から出力された作業対象設備担当端末装置の特定情報を受け取り、この特定情報に基づき、当該作業対象設備担当端末装置に当該決定情報と作業日時情報とを送信し作業実施を承認するか否かの承認要求を行うとともに、この作業対象設備担当端末装置から作業実施の承認の諾否の情報を受け取ると、この諾否情報を作業計画管理手段に出力する承認処理手段とを備えて構成され、作業計画管理手段は、承認処理手段から作業について諾否の判別結果を受け取ると、この判別結果に基づいて予定された作業実施の可否を決定するとともに、作業実施の可否の決定を作業担当端末装置に送信して表示させるようにしたものである。
【００１９】
本発明の請求項６に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、データベースには、各保守担当域の通信設備に関連付けされた端末装置の情報が格納され、センターサーバは、作業担当端末装置から設備の停止または停止解除の作業計画が入力されると、外部からの承認情報に基づいてこの作業計画を決定する作業計画管理手段と、作業担当端末装置から作業対象設備について機器または機器のポート部のうち少なくともいずれか１を選択する選択情報が入力されると、機器または機器のポート部のうち少なくともいずれか１を決定し決定情報を外部に出力する作業対象設備決定手段と、作業対象設備決定手段から決定情報を受け取ると、この決定情報に基づき、データベースからこの決定された作業対象設備が属する保守担当域を所管する端末装置を抽出し、この作業対象設備を担当する端末装置を特定する情報を外部に出力する作業対象設備担当端末装置抽出手段と、作業対象設備担当端末装置抽出手段から出力された作業対象設備担当端末装置の特定情報を受け取り、この特定情報に基づき、当該作業対象設備担当端末装置に当該決定情報と作業日時情報とを送信し作業実施を承認するか否かの承認要求を行うとともに、この作業対象設備担当端末装置から作業実施の承認の諾否の情報を受け取ると、この諾否情報を作業計画管理手段に出力する承認処理手段とを備えて構成され、作業計画管理手段は、承認処理手段から作業について諾否の判別結果を受け取ると、この判別結果に基づいて予定された作業実施の可否を決定するとともに、作業実施の可否の決定を作業担当端末装置に送信して表示させるようにしたことにより、センターサーバに作業担当端末装置から作業計画が入力されると、作業計画管理手段は仮の作業計画として保持するとともに、センターサーバに作業担当端末装置から作業対象設備について機器または機器のポート部のうち少なくともいずれか１を選択する選択情報が入力されると、作業対象設備決定手段は機器または機器のポート部のうち少なくともいずれか１を決定し決定情報を作業対象設備担当端末装置抽出手段に出力する。作業対象設備担当端末装置抽出手段は、決定情報に基づき、データベースからこの決定された作業対象設備が属する保守担当域を所管する端末装置を抽出し、この作業対象設備を担当する端末装置を特定する特定情報を承認処理手段に出力する。承認処理手段は、作業対象設備担当端末装置の特定情報を受け取り、この特定情報に基づき、特定された作業対象設備担当端末装置に当該決定情報と作業日時情報とを送信し作業実施の承認要求を行う。作業対象設備担当端末装置は承認処理手段から当該決定情報と作業日時情報と作業実施の承認要求とを受け取ると、オペレータにより作業の実施を承認するか否かを判別し、作業実施承認諾否情報を承認処理手段に送信する。承認処理手段は、作業対象設備担当端末装置から承認諾否情報を受け取ると、作業計画管理手段に出力する。作業計画管理手段は受け取った承認諾否情報に基づいて、作業承諾の情報の場合、仮の作業計画を最終的な作業計画としてデータベースに登録するとともに、作業承諾の情報を作業担当端末装置に送信して表示させ、作業承諾拒否の情報の場合、仮の作業計画をキャンセルし、作業承諾拒否の情報を作業担当端末装置に送信して表示させる。このため、自らの保守担当域と異なる他の保守担当域で停止作業を行う際、停止作業承認の依頼と承認の通知との遣り取りをセンターサーバと端末装置とを通じて行うので、作業者側と停止作業対象設備を有する被作業者側との間の停止作業に関する調整が自動化される。
【００２０】
本発明の請求項７に係るネットワークの作業管理システムは、データベースには、網構成および局内構成を含む物理回線構成情報と機器内部位情報を含む装置構成情報と論理回線名および論理回線構成を含む論理回線構成情報とが格納されるとともに、各保守担当域の通信設備に関連付けされた端末装置の情報が格納され、センターサーバは、作業計画管理手段と物理網・論理網・局内構成図描画処理手段と作業対象候補抽出手段と作業対象設備決定手段と作業対象設備担当端末装置抽出手段と承認処理手段とを備えて構成され、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択情報をセンターサーバに送信し、作業対象設備決定手段は、作業担当端末装置からこの選択情報を受け取ると、選択情報に基づいて機器または機器のポート部のうち少なくともいずれか１を決定して決定情報を出力し、作業対象設備担当端末装置抽出手段は、この決定情報を受け取ると、この決定情報と作業計画の情報とに基づいて、決定された機器または機器のポート部を自らの保守担当域に有しそれらを管理する作業対象設備担当端末装置を抽出し、承認処理手段は、抽出された作業対象設備担当端末装置の特定情報に基づいて、抽出された作業対象設備担当端末装置に作業日時の情報とともに決定された機器または決定されたポート部を有する機器の決定情報を送信し、当該作業対象設備担当端末装置は、作業日時の情報と決定情報とを受け取ると、これら情報に基づいて、予定された作業の実施を承認するか否かの判別を行い、その判別結果をセンターサーバに送信し、作業計画管理手段は、作業対象設備担当端末装置から承認処理手段を通じて作業実施について諾否の判別結果を受け取ると、この判別結果に基づいて予定された作業実施の可否を決定するとともに、作業実施の可否の決定を作業担当端末装置に送信して表示させるようにしたものである。
【００２１】
本発明の請求項７に係るネットワークの作業管理システムでは、データベースには、網構成および局内構成を含む物理回線構成情報と機器内部位情報を含む装置構成情報と論理回線名および論理回線構成を含む論理回線構成情報とが格納されるとともに、各保守担当域の通信設備に関連付けされた端末装置の情報が格納され、センターサーバは、作業計画管理手段と物理網・論理網・局内構成図描画処理手段と作業対象候補抽出手段と作業対象設備決定手段と作業対象設備担当端末装置抽出手段と承認処理手段とを備えて構成され、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択情報をセンターサーバに送信し、作業対象設備決定手段は、作業担当端末装置からこの選択情報を受け取ると、選択情報に基づいて機器または機器のポート部のうち少なくともいずれか１を決定して決定情報を出力し、作業対象設備担当端末装置抽出手段は、この決定情報を受け取ると、この決定情報と作業計画の情報とに基づいて、決定された機器または機器のポート部を自らの保守担当域に有しそれらを管理する作業対象設備担当端末装置を抽出し、承認処理手段は、抽出された作業対象設備担当端末装置の特定情報に基づいて、抽出された作業対象設備担当端末装置に作業日時の情報とともに決定された機器または決定されたポート部を有する機器の決定情報を送信し、当該作業対象設備担当端末装置は、作業日時の情報と決定情報とを受け取ると、これら情報に基づいて、予定された作業の実施を承認するか否かの判別を行い、その判別結果をセンターサーバに送信し、作業計画管理手段は、作業対象設備担当端末装置から承認処理手段を通じて作業実施について諾否の判別結果を受け取ると、この判別結果に基づいて予定された作業実施の可否を決定するとともに、作業実施の可否の決定を作業担当端末装置に送信して表示させるようにしたことにより、センターサーバに作業担当端末装置から設備の停止または停止解除の作業計画が入力されると、作業計画管理手段はこの作業計画を第１の仮の作業計画として保持するとともに、作業計画情報を物理網・論理網・局内構成図描画処理手段に出力する。物理網・論理網・局内構成図描画処理手段は、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを作業対象候補抽出手段に出力する。作業対象候補抽出手段は、受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する。物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませて表示させる。作業担当端末装置は、オペレータにより表示された候補情報から作業対象設備が選択されると、選択情報を作業計画管理手段に送信する。作業計画管理手段は作業担当端末装置から選択情報が入力されるとこの選択情報に基づいて第１の仮の作業計画を候補選択による第２の仮の作業計画として決定し、データベースに登録するとともに、決定された第２の仮の作業計画を作業担当端末に表示させる。センターサーバに作業担当端末装置から抽出された候補情報の作業対象設備について機器または機器のポート部のうち少なくともいずれか１を選択する選択情報が入力されると、作業対象設備決定手段は機器または機器のポート部のうち少なくともいずれか１を決定し決定情報を作業対象設備担当端末装置抽出手段に出力する。作業対象設備担当端末装置抽出手段は、決定情報に基づき、データベースからこの決定された作業対象設備が属する保守担当域を所管する端末装置を抽出し、この作業対象設備を担当する端末装置を特定する特定情報を承認処理手段に出力する。承認処理手段は、作業対象設備担当端末装置の特定情報を受け取り、この特定情報に基づき、特定された作業対象設備担当端末装置に当該決定情報と作業日時情報とを送信し作業実施の承認要求を行う。作業対象設備担当端末装置は承認処理手段から当該決定情報と作業日時情報とを受け取ると、オペレータが作業の実施を承認するか否かを判別し、作業実施承認諾否情報を承認処理手段に送信する。承認処理手段は、作業対象設備担当端末装置から承認諾否情報を受け取ると、作業計画管理手段に出力する。作業計画管理手段は受け取った承認諾否情報に基づいて、作業承諾の情報の場合、第２の仮の作業計画を最終的な作業計画としてデータベースに登録するとともに、作業承諾の情報を作業担当端末装置に送信して表示させ、作業承諾拒否の情報の場合、第２の仮の作業計画をキャンセルし、作業承諾拒否の情報を作業担当端末装置に送信して表示させる。このため、オペレータにより半自動で停止作業対象の候補を選択することができ、停止対象とすべき通信設備を検討する時間を短縮することができ、停止対象とすべき通信設備を決定する作業が迅速化される。また、作業者側と停止作業対象設備を有する被作業者側との間の調整が自動化される。作業者側と被作業者側とに停止作業に関する調整の負担がかからなくなる。
【００２２】
本発明の請求項８に係るネットワークの作業管理システムは、作業計画が予め計画された停止日時と停止設備との情報を含む停止計画であり、作業計画管理手段は、停止作業日前に、データベースに停止計画に対し実施が決定された停止作業を最終的な停止計画として登録し、作業対象設備担当端末装置は、停止作業の当日、停止作業開始の所定時間前に、センターサーバから登録された最終的な停止計画を受け取ると、登録された停止作業を当日作業として承認するか否かの判別を行い、その判別結果を、センターサーバに送信するよう構成するとともに、センターサーバには、停止作業の当日、停止作業開始の所定時間前になると、データベースから登録された最終的な停止計画情報を取り出し、この最終的な停止計画情報に基づいて当日の停止作業の対象となる作業対象設備担当端末装置の特定情報を外部に出力するとともに、上記作業対象設備担当端末装置から停止作業当日の停止作業実施について諾否の判別結果を受け取ると、この判別結果に基づいて登録された最終的な停止計画の実施について開始の可否を作業担当端末装置に送信して表示させる当日作業計画管理手段と、当日作業計画手段から受け取った作業対象設備担当端末装置の特定情報に基づいて、当日の停止作業の対象となる作業対象設備担当端末装置に、最終的な停止計画情報に含まれる停止日時情報と停止対象設備情報とを送信し、当該作業対象設備担当端末装置から停止作業を当日作業として承認するか否かの判別結果を受け取ると、その判別結果を当日作業計画管理手段に出力する当日作業承認処理手段とを設けたものである。
【００２３】
本発明の請求項８に係るネットワークの作業管理システムでは、作業計画が予め計画された停止日時と停止設備との情報を含む停止計画であり、作業計画管理手段は、停止作業日前に、データベースに停止計画に対し実施が決定された停止作業を最終的な停止計画として登録し、作業対象設備担当端末装置は、停止作業の当日、停止作業開始の所定時間前に、センターサーバから登録された最終的な停止計画を受け取ると、登録された停止作業を当日作業として承認するか否かの判別を行い、その判別結果を、センターサーバに送信するよう構成するとともに、センターサーバには、停止作業の当日、停止作業開始の所定時間前になると、データベースから登録された最終的な停止計画情報を取り出し、この最終的な停止計画情報に基づいて当日の停止作業の対象となる作業対象設備担当端末装置の特定情報を外部に出力するとともに、上記作業対象設備担当端末装置から停止作業当日の停止作業実施について諾否の判別結果を受け取ると、この判別結果に基づいて登録された最終的な停止計画の実施について開始の可否を作業担当端末装置に送信して表示させる当日作業計画管理手段と、当日作業計画手段から受け取った作業対象設備担当端末装置の特定情報に基づいて、当日の停止作業の対象となる作業対象設備担当端末装置に、最終的な停止計画情報に含まれる停止日時情報と停止対象設備情報とを送信し、当該作業対象設備担当端末装置から停止作業を当日作業として承認するか否かの判別結果を受け取ると、その判別結果を当日作業計画管理手段に出力する当日作業承認処理手段とを設けたことにより、最新の通信設備情報に基づいて、停止作業の実施を停止作業当日に改めて確認することができ、確実性が増す。
【００２４】
本発明の請求項９に係る通信ネットワークの作業管理システムは、停止作業の対象となる通信設備はインターネットプロトコルを有し、ポート部は上記通信設備のＩＰポートであって、当該通信設備は、センターサーバからの指令に基づいて、回線状態の情報をセンターサーバに送信する回線情報送信手段と、通信設備をオンオフ制御するかまたはポートを開閉制御するかのうち少なくともいずれか１の制御を行う設備側制御手段と、設備側制御手段により制御され実行された結果をセンターサーバに送信する制御情報送信手段とを備え、センターサーバは、通信により設備側と情報の遣り取りを行うとともに、作業担当端末装置から回線状態の情報を要求する指令を受け取ると、回線情報送信手段に回線状態の情報を要求し、回線情報送信手段から送られてきた回線状態の情報を作業担当端末装置に送信して表示させ、作業担当端末装置から通信設備またはポートのうち少なくともいずれか一方を停止または停止解除を要求する指令を受け取ると、当該通信設備またはポートの情報に基づいて当該通信設備またはポートの設備側制御手段に当該通信設備またはポートの停止または停止解除を実行させ、設備側制御手段により制御され実行された結果を制御情報送信手段から受け取ると、受け取った実行結果を作業担当端末装置に送信して表示させる監視制御システムを備えるようにしたものである。
【００２５】
本発明の請求項９に係る通信ネットワークの作業管理システムでは、停止作業の対象となる通信設備はインターネットプロトコルを有し、ポート部は上記通信設備のＩＰポートであって、当該通信設備は、センターサーバからの指令に基づいて、回線状態の情報をセンターサーバに送信する回線情報送信手段と、通信設備をオンオフ制御するかまたはポートを開閉制御するかのうち少なくともいずれか１の制御を行う設備側制御手段と、設備側制御手段により制御され実行された結果をセンターサーバに送信する制御情報送信手段とを備え、センターサーバは、通信により設備側と情報の遣り取りを行うとともに、作業担当端末装置から回線状態の情報を要求する指令を受け取ると、回線情報送信手段に回線状態の情報を要求し、回線情報送信手段から送られてきた回線状態の情報を作業担当端末装置に送信して表示させ、作業担当端末装置から通信設備またはポートのうち少なくともいずれか一方を停止または停止解除を要求する指令を受け取ると、当該通信設備またはポートの情報に基づいて当該通信設備またはポートの設備側制御手段に当該通信設備またはポートの停止または停止解除を実行させ、設備側制御手段により制御され実行された結果を制御情報送信手段から受け取ると、受け取った実行結果を作業担当端末装置に送信して表示させる監視制御システムを備えていることにより、オペレータが作業担当端末装置を操作するだけで、作業対象の機器をオンオフ制御するかまたはポートを開閉制御するかのうち少なくともいずれか１の制御が行われ、制御の実行結果も確認することができる。
【００２６】
本発明の請求項１０に係る通信ネットワークの作業管理システムは、監視制御システムは、当日作業計画管理手段と当日承認処理手段とを備えるとともに、制御コマンドを生成する文法が格納された制御コマンド文法データベースと、外部から入力される指令に基づいて制御コマンド文法データベースにより該当する回線について回線状態の情報を要求する回線状態情報要求コマンドを生成し、この回線状態情報要求コマンドを該当する通信設備に送信するとともに、外部から入力される指令に基づいて制御コマンド文法データベースにより該当する機器またはポートに対する停止または停止解除要求コマンドを生成し、これら停止または停止解除要求コマンドを該当する通信設備に送信する制御コマンド生成手段と、当日作業計画管理手段が、作業担当端末装置から回線状態を確認するよう要求する指令を受け取ると、この指令に基づいて回線状態情報要求コマンドを生成するよう制御コマンド生成手段に指令し、この生成された回線状態情報要求コマンドを制御コマンド生成手段を通じて該当する通信設備に送信させ、設備側の回線情報送信手段から回線状態の情報が送られてくると、この回線状態の情報を作業担当端末装置に送信する回線状態確認手段と、当日作業計画管理手段が、作業担当端末装置から選択された機器またはポートについて停止または停止解除を要求する指令を受け取ると、この指令に基づいて停止または停止解除要求コマンドを生成するよう制御コマンド生成手段に指令し、これら生成された停止または停止解除要求コマンドを制御コマンド生成手段を通じて通信設備の設備側制御手段に送信させ、実行された結果が通信設備の制御情報送信手段から送られてくると、この実行結果を作業担当端末装置に送信して表示させる停止・停止解除制御手段とを備えて構成されるようにしたものである。
【００２７】
本発明の請求項１０に係る通信ネットワークの作業管理システムでは、監視制御システムは、当日作業計画管理手段と当日承認処理手段とを備えるとともに、制御コマンドを生成する文法が格納された制御コマンド文法データベースと、外部から入力される指令に基づいて制御コマンド文法データベースにより該当する回線について回線状態の情報を要求する回線状態情報要求コマンドを生成し、この回線状態情報要求コマンドを該当する通信設備に送信するとともに、外部から入力される指令に基づいて制御コマンド文法データベースにより該当する機器またはポートに対する停止または停止解除要求コマンドを生成し、これら停止または停止解除要求コマンドを該当する通信設備に送信する制御コマンド生成手段と、当日作業計画管理手段が、作業担当端末装置から回線状態を確認するよう要求する指令を受け取ると、この指令に基づいて回線状態情報要求コマンドを生成するよう制御コマンド生成手段に指令し、この生成された回線状態情報要求コマンドを制御コマンド生成手段を通じて該当する通信設備に送信させ、設備側の回線情報送信手段から回線状態の情報が送られてくると、この回線状態の情報を作業担当端末装置に送信する回線状態確認手段と、当日作業計画管理手段が、作業担当端末装置から選択された機器またはポートについて停止または停止解除を要求する指令を受け取ると、この指令に基づいて停止または停止解除要求コマンドを生成するよう制御コマンド生成手段に指令し、これら生成された停止または停止解除要求コマンドを制御コマンド生成手段を通じて通信設備の設備側制御手段に送信させ、実行された結果が通信設備の制御情報送信手段から送られてくると、この実行結果を作業担当端末装置に送信して表示させる停止・停止解除制御手段とを備えて構成されるようにしたことにより、オペレータは作業担当端末装置を通じて、作業時、まず、回線状態を確認することができ、確認が済むと、選択された機器またはポートについて停止の制御を実行し、実行されたかどうかの確認をすることができる。このため、作業を確実かつ迅速に行うことができ、作業ミスの発生を防止することができる。
【００２８】
本発明の請求項１１に係るネットワークの作業管理方法は、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するネットワークの作業管理方法であって、センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するとともに、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたものである。
【００２９】
本発明の請求項１１に係るネットワークの作業管理方法では、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するネットワークの作業管理方法であって、センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するとともに、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたことにより、人手を介さず停止対象とすべき通信設備の候補が表示されるので、検討する時間を短縮することができ、停止対象とすべき通信設備を決定する作業が迅速化される。また、作業者側と停止作業対象設備を有する被作業者側との間の調整が自動化される。
【００３０】
本発明の請求項１２に係るネットワークの作業管理方法は、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するネットワークの作業管理方法であって、センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるとともに、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたものである。
【００３１】
本発明の請求項１２に係るネットワークの作業管理方法では、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するネットワークの作業管理方法であって、センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるとともに、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたことにより、自らの保守担当域と異なる他の保守担当域で停止作業を行う際、停止作業承認の依頼と承認の通知との遣り取りをセンターサーバと端末装置とを通じて行うので、作業者側と停止作業対象設備を有する被作業者側との間の停止作業についての調整が自動化される。また、停止対象とすべき通信設備を検討する時間を短縮することができ、停止対象とすべき通信設備を決定する作業が迅速化される。
【００３４】
本発明の請求項１３に係るネットワークの作業管理方法は、作業計画が予め計画された停止日時と停止設備との情報を含む停止計画であり、停止計画に対し、作業開始前に、実施が決定された停止作業を最終的な停止計画としてデータベースに登録するようにしたものである。
【００３５】
本発明の請求項１３に係るネットワークの作業管理方法では、作業計画が予め計画された停止日時と停止設備との情報を含む停止計画であり、停止計画に対し、作業開始前に、実施が決定された停止作業を最終的な停止計画としてデータベースに登録することにより、停止計画を早めに多数作成することができ、計画作成の時間を有効に利用することができる。
【００３６】
本発明の請求項１４に係るネットワークの作業管理方法は、データベースには、停止作業日の前に最終的な停止計画を登録するとともに、センターサーバは、停止作業日の作業開始前に、登録された最終的な停止計画を、停止作業を承認する判別結果を送信した作業対象設備担当端末装置に送信し、作業対象設備担当端末装置は、センターサーバから登録された最終的な停止計画を受け取ると、登録された停止作業を当日作業として承認するか否かの入力を求め、入力が行われるとその入力結果をセンターサーバに送信し、センターサーバは、作業対象設備担当端末装置から当日の停止作業について諾否の入力結果を受け取ると、この入力結果に基づいて登録された最終的な停止計画実施について開始の可否を作業担当端末装置に送信して表示させるようにしたものである。
【００３７】
本発明の請求項１４に係るネットワークの作業管理方法では、データベースには、停止作業日の前に最終的な停止計画を登録するとともに、センターサーバは、停止作業日の作業開始前に、登録された最終的な停止計画を、停止作業を承認する判別結果を送信した作業対象設備担当端末装置に送信し、作業対象設備担当端末装置は、センターサーバから登録された最終的な停止計画を受け取ると、登録された停止作業を当日作業として承認するか否かの入力を求め、入力が行われるとその入力結果をセンターサーバに送信し、センターサーバは、作業対象設備担当端末装置から当日の停止作業について諾否の入力結果を受け取ると、この入力結果に基づいて登録された最終的な停止計画実施について開始の可否を作業担当端末装置に送信して表示させるようにしたことにより、最新の通信設備情報に基づいて、停止作業の実施を確認するので、確実性が増す。
【発明の効果】
【００３８】
本発明の請求項１に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるとともに、センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するネットワークの作業管理システムであって、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたので、保守担当者への連絡漏れ、停止対象誤りの発生を防止し、実作業開始までの作業を迅速化することができる。
【００３９】
本発明の請求項２に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するよう構成されるとともに、センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるネットワークの作業管理システムであって、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたので、自らの保守担当域と異なる他の保守担当域で停止作業を行う際、作業者側と停止作業対象設備を有する被作業者側との間の調整が自動化されることにより、停止作業承認の遣り取りに要する作業を効率化することができる。
【００４０】
本発明の請求項５に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、データベースには、網構成および局内構成を含む物理回線構成情報と機器および機器内の部位情報を含む装置構成情報と論理回線名および論理回線構成を含む論理回線構成情報とが格納されるよう構成され、センターサーバは、作業担当端末装置から設備の停止または停止解除の作業計画が入力されるとこの作業計画を外部に出力し、作業担当端末装置から作業計画の作業対象設備について選択情報が入力されるとこの選択情報に基づいて作業計画を決定する作業計画管理手段と、作業計画管理手段から作業対象設備の情報を受け取ると、受け取った作業対象設備の情報に基づき、データベースから物理回線構成情報と装置構成情報と論理回線構成情報とを抽出して物理網構成図、論理網構成図および局内構成図のうち少なくともいずれか１を描画処理し、これらを作業担当端末装置に送信して表示させるとともに、抽出された各構成情報と上記作業対象設備の情報とを外部に出力する物理網・論理網・局内構成図描画処理手段と、物理網・論理網・局内構成図描画処理手段から受け取った各構成情報と作業対象設備の情報とに基づいて、作業対象設備の回線に関連する機器または機器のポート部のうち少なくともいずれか１についての候補を抽出し、抽出された候補情報を物理網・論理網・局内構成図描画処理手段に出力する作業対象候補抽出手段とを備え、物理網・論理網・局内構成図描画処理手段は、作業対象候補抽出手段から抽出された候補情報を受け取ると、この候補情報に基づいて、作業担当端末装置に表示される描画処理された各構成図上に候補情報を含ませるとともに、作業担当端末装置は表示された候補情報から作業対象設備が選択されると、選択情報を作業計画管理手段に送信し、作業計画管理手段は選択情報に基づいて最終的な作業計画を決定するようにしたので、停止対象とすべき通信設備の候補は関連する図面に描画されて表示され、停止対象とすべき通信設備を決定する作業がし易くなり、作業効率が向上する。
【００４１】
本発明の請求項６に係るネットワークの作業管理システムでは、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するよう構成されるネットワークの作業管理システムであって、データベースには、各保守担当域の通信設備に関連付けされた端末装置の情報が格納され、センターサーバは、作業担当端末装置から設備の停止または停止解除の作業計画が入力されると、外部からの承認情報に基づいてこの作業計画を決定する作業計画管理手段と、作業担当端末装置から作業対象設備について機器または機器のポート部のうち少なくともいずれか１を選択する選択情報が入力されると、機器または機器のポート部のうち少なくともいずれか１を決定し決定情報を外部に出力する作業対象設備決定手段と、作業対象設備決定手段から決定情報を受け取ると、この決定情報に基づき、データベースからこの決定された作業対象設備が属する保守担当域を所管する端末装置を抽出し、この作業対象設備を担当する端末装置を特定する情報を外部に出力する作業対象設備担当端末装置抽出手段と、作業対象設備担当端末装置抽出手段から出力された作業対象設備担当端末装置の特定情報を受け取り、この特定情報に基づき、当該作業対象設備担当端末装置に当該決定情報と作業日時情報とを送信し作業実施を承認するか否かの承認要求を行うとともに、この作業対象設備担当端末装置から作業実施の承認の諾否の情報を受け取ると、この諾否情報を作業計画管理手段に出力する承認処理手段とを備えて構成され、作業計画管理手段は、承認処理手段から作業について諾否の判別結果を受け取ると、この判別結果に基づいて予定された作業実施の可否を決定するとともに、作業実施の可否の決定を作業担当端末装置に送信して表示させるようにしたので、他の保守担当域で停止作業を行う際、停止作業承認の依頼と承認の通知との遣り取りはセンターサーバと端末装置とを通じて行われ、作業者側と停止作業対象設備を有する被作業者側との間の調整が自動化される。このため、停止作業承認の遣り取りに要する作業を効率化することができる。
【００４２】
本発明の請求項１１に係るネットワークの作業管理方法では、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバが停止作業開始前に作業対象通信設備について停止情報を設定し、実作業終了後に、作業担当端末装置から作業終了通知がセンターサーバに送信されると停止情報の設定を解除するネットワークの作業管理方法であって、センターサーバに作業計画が入力されると、データベースに格納された通信設備の情報に基づいて、作業対象設備の回線に関連する機器または機器のポート部のうち少なくともいずれか１の候補を抽出し、抽出された候補を作業を担当する作業担当端末装置に表示させ、作業担当端末装置により表示された候補から作業対象設備が選択されると、この選択情報をセンターサーバに送信し、センターサーバは、この選択された情報に基づいて最終的な作業計画を決定するとともに、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたので、保守担当者への連絡漏れ、停止対象誤りの発生を防止し、実作業開始までの作業を迅速化することができる。
【００４３】
本発明の請求項１２に係るネットワークの作業管理方法では、データベースに格納された通信設備の情報に基づいてネットワーク全体の回線を管理運用するセンターサーバと、このセンターサーバと通信を通じて作業情報を遣り取り可能に接続され各保守担当域のネットワークの回線を管理する端末装置とを備え、停止作業を担当する作業担当端末装置により予め計画された作業日時と作業設備との情報を含む作業計画がセンターサーバに送信されると、センターサーバは停止作業開始前に作業対象通信設備について停止情報を設定し、実作業終了後に、作業担当端末装置から作業終了通知がセンターサーバに送信されると停止情報の設定を解除するネットワークの作業管理方法であって、センターサーバに作業日時と作業設備との情報が入力されると、データベースに格納された通信設備の情報に基づいて、停止予定設備の回線に関連する機器を自らの保守担当域に有し当該作業対象通信設備を管理する端末装置を作業対象設備担当端末装置として抽出し、抽出された作業対象設備担当端末装置に予定された作業日時と作業設備との情報を送信し、当該作業対象設備担当端末装置が、予定された作業日時と作業設備との情報を受け取ると、この情報に基づいて、停止予定または停止解除予定の通信設備について予定された作業を承認するか否かの判別を行い、その判別結果をセンターサーバに送信し、センターサーバは、作業対象設備担当端末装置から作業について諾否の判別結果を受け取ると、この判別結果に基づいて予定された作業実施の可否を決定するとともに、作業実施の可否の決定を作業担当端末装置に送信して表示させるとともに、作業担当端末装置は、表示された作業対象設備の回線に関連する機器または機器のポート部のうち少なくともいずれか１の候補に対し、オペレータにより作業対象とすべき機器または機器のポート部のうち少なくともいずれか１が選択されると、その選択結果をセンターサーバに送信し、センターサーバは、作業担当端末装置から選択結果を受け取ると、この選択結果に基づいて、選択された機器または機器のポート部を作業対象として決定し、この作業対象として決定された機器または機器のポート部を自らの保守担当域に有する作業対象設備担当端末装置を抽出し、抽出された作業対象設備担当端末装置に作業日時の情報とともに作業対象として決定された機器または機器のポート部の情報を送信し、当該作業対象設備担当端末装置が、作業日時の情報と作業対象として決定された機器または機器のポート部の情報とを受け取ると、これら情報を表示して予定された作業を承認するか否かの入力を求め、入力が行われるとその入力結果をセンターサーバに送信し、センターサーバは、作業対象設備担当端末装置から作業実施について諾否の入力結果を受け取ると、この入力結果に基づいて予定された作業実施の可否を決定するとともに、作業実施の可否の決定を作業担当端末装置に送信して表示させるようにしたので、自らの保守担当域と異なる他の保守担当域で停止作業を行う際、作業者側と停止作業対象設備を有する被作業者側との間の調整が自動化されることにより、停止作業承認の遣り取りに要する作業を効率化することができる。
【発明を実施するための最良の形態】
【００４４】
停止作業の計画から実作業開始までの作業を短縮化し効率化を図るという目的を、作業開始前に、作業担当の端末装置からセンターサーバに停止計画が入力されると、データベースに格納されたネットワークの通信設備情報に基づいて、停止予定設備の回線に関連する通信設備の候補を抽出して作業担当端末装置に表示させ、オペレータがこの候補から停止すべき対象設備を選択すると、センターサーバはその停止作業対象設備が属する保守担当域で当該停止作業対象設備を管理する端末装置を作業対象設備担当端末装置として抽出し、その作業対象設備担当端末装置に停止計画と停止設備の情報を送信し作業実施の承認を求め、作業実施の承認を受けると最終的な停止計画として登録するようにしたことにより実現した。
【実施例１】
【００４５】
以下、図面に示す実施例により本発明を説明する。図１は本発明の第１の実施例に係るネットワークの作業管理システムのシステム構成図であり、図２は該システムの概念説明図である。本実施例に係るネットワークの作業管理システムは、図１に示すように、エントリー端末１０Ａと表示端末１０Ｂとが一体に構成され、予め決められた保守担当域の通信設備１２を管理する箇所端末（パーソナルコンピュータ、移動端末も含む。以下、端末装置と称す。）１０と、これら端末装置１０と通信回線（ＩＰ網、専用線網、公衆電話網等を含む）を通じて接続され、情報の遣り取りを行うとともに、通信設備１２と通信回線を通じて接続され、通信設備１２を制御するとともに、通信設備１２の回線状態を問い合わせ可能なセンターサーバ１１とを備えて構成される。本実施例でいうネットワークは、通信ネットワークをいう。
【００４６】
センターサーバ１１は、監視制御システムとしての役割を果たすようになっている。すなわち、センターサーバ１１を通じて、通信ネットワークの運用および保守管理と監視とを行うようになっている。通信設備、すなわち、作業対象は、回線（多重回線を含む。）および機器（光ケーブル、メタルケーブル、メカニカルクロージャ（光接続箱）、伝送装置等）を含む。本実施例では、通信設備１２は、インターネットプロトコル機器（例えば、ルータ、スイッチ、伝送装置等のＩＰ機器。以下、機器と称す。）またはＩＰ機器のポート部（ポート）であって、センターサーバ１１から送信される制御コマンドにより閉塞制御（停止制御）されたり、閉塞解除制御（停止解除制御）されたりする機器またはその機器の一部（ポート）である。また、通信設備１２は、センターサーバ１１から制御コマンドが送られてくると、制御コマンドの投入結果をセンターサーバ１１に送信するようになっている。さらに、通信設備１２は、センターサーバ１１から回線状態の情報を要求する問い合わせのコマンドが送られてくると、回線状態の情報をセンターサーバ１１に送信するようになっている。
【００４７】
端末装置１０は、保守担当者が所定の保守担当域における多数の通信設備１２を管理するため設置される。端末装置１０には、それぞれの保守担当域におけるネットワーク回線の情報および通信設備の情報が更新可能に格納されている。この端末装置１０に、作業担当者が自らの保守担当域に属する通信設備や他の保守担当域に属する通信設備に関して停止作業の予定計画情報（停止予定日時情報Ｉｄｔと停止予定通信設備情報Ｉｍｃを含む作業計画情報）ＰＬを立案して入力すると、その予定停止計画情報ＰＬは端末装置１０を通じてセンターサーバ１１に送信されるようになっている。以下、このように保守担当域に関係なく、停止作業計画情報ＰＬに基づいて停止作業が予定された作業対象の通信設備１２をセンターサーバ１１を通じて制御する端末装置１０を、作業担当端末装置（自支社の箇所端末）１０Ｘという。また、作業担当端末装置１０Ｘを除く端末装置であって、予定停止計画情報ＰＬに記載され停止作業が予定されている通信設備１２を自らの保守担当域に有しこの作業対象通信設備１２を管理する端末装置１０を作業対象設備担当端末装置（他支社の箇所端末）１０Ｙという。これら作業担当端末装置１０Ｘと作業対象設備担当端末装置１０Ｙはそれぞれ固定されたものではなく、予定停止計画情報ＰＬが入力される端末装置１０が作業担当端末装置１０Ｘとされ、作業担当端末装置１０Ｘの保守担当域と異なる保守担当域の端末装置１０であって、この保守担当域に含まれる作業対象通信設備１２を管理する端末装置１０が作業対象設備担当端末装置１０Ｙとされるようになっている。
【００４８】
各保守担当域の通信設備１２を管理する端末装置１０には、所管するエリアにおける通信設備のデータが更新自在に格納され、常に最新のデータをセンターサーバ１１とリアルタイムで共有するようになっている。作業担当端末装置１０Ｘは、図２に示すように、ある保守担当域における計画された予定停止の情報、すなわち、停止日時の情報Ｉｄｔおよび停止設備の情報Ｉｍｃを予定された変更の可能性のある停止計画情報ＰＬとして作業開始前にセンターサーバ１１に送信して入力するようになっている。センターサーバ１１は作業計画管理部（作業計画管理手段）２１を備え、この作業計画管理部２１は、作業担当端末装置１０Ｘから通信制御部２０を通じて入力された予定停止計画情報ＰＬに基づいて、その予定停止計画情報ＰＬについて所定の時間で締め切り処理を行い、その作業計画を決定する処理を行うようになっている。
【００４９】
センターサーバ１１は、運用管理系システム部１１Ａと監視制御系システム部１１Ｂとを備えて構成される。運用管理系システム部１１Ａには、データベースとして構成管理データベース２２と作業計画データベース２３とが備えられる。構成管理データベース２２には、ネットワークの回線情報および通信設備情報とともに、物理回線構成情報、設備構成情報（装置構成情報）および論理回線構成情報が格納されるようになっている。物理回線構成情報は、網構成および局内構成を含み、設備構成情報は、機器および機器内の部位（ポート）情報を含み、論理回線構成情報は、論理回線名および論理回線構成を含む。作業計画データベース２３には、ネットワークの回線情報および通信設備情報が格納されるとともに、作業計画管理部２１により停止のエントリーが決定された最終的な登録済み停止計画情報ＰＬｆ、すなわち、停止日時の情報Ｉｄｔ、停止設備の情報Ｉｍｃが、当該停止設備の閉塞対象機器または閉塞対象ポート部の情報として格納され、実作業終了後、作業担当端末装置１０Ｘから作業計画管理部２１を通じて作業終了の情報が送られてくると、停止の設定が解除され、実作業の結果が登録されるようになっている。
【００５０】
センターサーバ１１の運用管理系システム部１１Ａは、作業計画管理部２１と、データベース２２、２３と、物理網・論理網・局内構成図描画部（物理網・論理網・局内構成図描画処理手段）２４と、停止予定設備の回線に関連する閉塞対象機器候補または閉塞対象ポート候補を抽出する閉塞対象候補抽出部（作業対象候補抽出手段）２５と、作業担当端末装置１０Ｘから送信される選択された閉塞対象機器・閉塞対象ポート情報（または閉塞解除対象機器・閉塞解除対象ポート情報）に基づいて、対象となる機器を決定して対象機器の決定情報を外部に出力する作業対象設備決定部（作業対象設備担当端末装置抽出手段）２６と、作業対象設備決定部２６から出力された対象機器の決定情報を受け取り、決定された作業対象となる機器の情報に基づいて、この作業対象の機器を自らの保守担当域に有し、この作業対象の機器を管理する端末装置１０Ｙ１・・・１０Ｙｎ（ｎは任意の整数）を抽出する作業対象設備担当端末装置抽出部（作業対象設備担当端末装置抽出手段）２７と、作業対象設備担当端末装置抽出部２７により抽出された作業対象設備担当端末装置１０Ｙ１〜１０Ｙｎに対し停止のエントリーが決定された最終的な登録済み停止計画情報ＰＬｆに基づいて停止作業実施の承認要求を行うとともに、当該作業対象設備担当端末装置１０Ｙ１〜１０Ｙｎから承認の諾否情報が送られてくると、この諾否情報を作業計画管理部２１に送出する承認処理部（承認処理手段）２８とを備えて構成される。
【００５１】
作業計画管理部２１は、作業担当端末装置１０Ｘから作業対象通信設備１２について予定停止計画情報ＰＬが入力されると、この予定停止計画情報ＰＬの停止予定設備の情報Ｉｍｃを物理網・論理網・局内構成図描画部２４に出力するようになっている。また、作業計画管理部２１は、停止作業予定日より前に、承認処理部２８から作業対象設備担当端末装置１０Ｙ１〜１０Ｙｎから停止作業承認の諾否情報（諾否の判別結果）を受け取ると、この諾否情報に基づいて予定された停止作業実施の可否を決定するとともに、停止作業実施の可否の決定を作業担当端末装置１０Ｘに送信して表示させるようになっている。作業計画管理部２１は、この諾否情報に基づいて予定された停止作業実施を可とする決定を行うと、作業計画データベース２３に停止計画に対し実施が決定された停止作業を最終的な停止計画情報ＰＬｆとして登録するとともに、この最終的な停止計画情報ＰＬｆを作業計画データベース２３から後述する当日作業計画管理部３０に送出するようになっている。この最終的な停止計画情報ＰＬｆには、停止日時の情報と作業対象通信設備の情報とが、すなわち、停止日時の情報Ｉｄｔと閉塞対象（停止対象）の機器の情報Ｉｍｃ−Ｃｄｆまたはポート部の情報ｐ００ｎ−Ｃｄｆとの各情報Ｃｄｆが含まれる。作業計画管理部２１は、実作業終了後に、作業担当端末装置１０Ｘから作業終了の通知がセンターサーバ１１に送信されると停止情報ＰＬｆの設定を解除するようになっている。
【００５２】
物理網・論理網・局内構成図描画部２４は、物理網構成図、論理網構成図および局内構成図を描画処理することができ、これらを通信制御部２０を介して作業担当端末装置１０Ｘに送信して表示させるようになっている。物理網・論理網・局内構成図描画部２４は、作業計画部２１または閉塞対象候補抽出部２５から、入力された設備情報に基づいて構成管理データベース２２から物理回線構成情報Ｐｈと装置構成情報Ａｐと論理回線構成情報Ｌｇとを抽出して描画処理し、これら描画処理された構成図上に入力された設備情報を反映させて作業担当端末装置１０Ｘに表示させるようになっている。また、物理網・論理網・局内構成図描画部２４は、作業計画管理部２１から仮の予定停止計画情報ＰＬ（停止日時情報Ｉｄｔと停止予定設備情報Ｉｍｃとを含む）を受け取ると、閉塞対象候補抽出部２５に出力するようになっている。物理網・論理網・局内構成図描画部２４は、閉塞対象候補抽出部２５から閉塞予定機器またはポート部の候補情報Ｃｄ（閉塞予定候補の機器情報Ｉｍｃ−Ｃｄと閉塞予定候補のポート部情報ｐ００ｎ−Ｃｄと停止日時情報Ｉｄｔ）を受け取ると、この候補情報Ｃｄに基づき、構成管理データベース２２から候補情報Ｃｄに対応した物理回線構成情報Ｐｈと装置構成情報Ａｐと論理回線構成情報Ｌｇを抽出し、抽出された情報に関連付けして候補情報Ｃｄを、作業担当端末装置１０Ｘの上記描画処理された構成図に反映させて表示させるようになっている。以下、停止予定設備の候補情報Ｃｄ（Ｉｍｃ−Ｃｄ、ｐ００ｎ−Ｃｄ、Ｉｄｔ）には常に停止日時情報Ｉｄｔも添付されるが、その説明については省略し、停止予定設備の候補情報Ｃｄｆには停止日時情報Ｉｄｔも含まれるものとして説明する。ここでいう停止予定設備の情報Ｉｍｃ−Ｃｄとは、例えば、図４ないし図６に示すように、作業担当端末装置１０Ｘで所管していない事業所［Ｘ］［Ｙ］［Ｚ］［Ｗ］のうち事業所［Ｙ］のルータ装置「Ａ」を停止予定している場合、ルータ装置「Ａ」を指す。
【００５３】
閉塞対象候補抽出部２５は、物理網・論理網・局内構成図描画部２４から仮の予定停止計画情報ＰＬ（停止日時情報Ｉｄｔと停止予定設備情報Ｉｍｃとを含む）を受け取ると、物理網・論理網・局内構成図描画部２４が構成管理データベース２２により抽出した物理回線構成情報Ｐｈと装置構成情報Ａｐと論理回線構成情報Ｌｇとに基づいて、停止予定設備の回線に関連する機器またはポート部の候補を抽出し、抽出された閉塞候補の機器またはポート部の候補情報Ｃｄを物理網・論理網・局内構成図描画部２４に出力するようになっている。物理網・論理網・局内構成図描画部２４は、上述のように、閉塞対象候補抽出部２５から閉塞予定機器またはポート部の候補情報Ｃｄを受け取ると、この候補情報Ｃｄに基づき、構成管理データベース２２から候補情報Ｃｄに対応した物理回線構成情報Ｐｈと装置構成情報Ａｐと論理回線構成情報Ｌｇを抽出し、抽出された情報に関連付けして候補情報Ｃｄを、作業担当端末装置１０Ｘの描画処理された構成図に反映させて表示させる。このため、作業担当端末装置１０Ｘの表示端末１０Ｂには、停止予定通信設備の停止計画情報ＰＬに基づいて表示された物理網構成図、論理網構成図および局内構成図のうちいずれかの構成図上に、停止予定設備Ｉｍｃの回線に関連する機器またはポート部の候補情報Ｃｄが表示されるようになっている。作業担当端末装置１０Ｘに表示された閉塞対象とすべき機器またはポート部の候補Ｃｄに対し、オペレータが、作業対象とすべき機器またはポート部を選択すると、作業対象設備として選択された機器またはポート部の情報Ｃｄｆは、センターサーバ１１に送信され、後述する作業対象設備決定部２６に送られるようになっている。ここでいう閉塞対象候補抽出部２５により抽出された閉塞候補の機器またはポート部の候補情報Ｃｄとは、例えば、図４ないし図６に示すように、停止予定設備の情報Ｉｍｃが事業所［Ｙ］のルータ装置「Ａ」である場合、停止予定設備Ｉｍｃの回線に関連する機器の候補は、図４の「（II）閉塞対象候補：回線」に示すように、事業所［Ｗ］のルータ装置「Ｃ」、事業所［Ｚ］のルータ装置「Ｂ」、同じ事業所［Ｙ］のルータ装置「Ｉ」となる。そして、停止予定設備Ｉｍｃの回線に関連する機器のポート部候補は、事業所［Ｗ］のルータ装置「Ｃ」についてはポート番号ｐ００２（以下、Ｃ：ｐ００２と表記する。）、事業所［Ｚ］のルータ装置「Ｂ」についてはポート番号ｐ００３（以下、Ｂ：ｐ００３と表記する。）、同じ事業所［Ｙ］のルータ装置「Ｉ」についてはポート番号ｐ００１（以下、Ｉ：ｐ００１と表記する。）となる。また、ポート部候補には、オペレータにより閉塞順序が選択できるよう、閉塞順序選択情報が付されようになっている（図５および図６の閉塞候補を選択する欄参照）。オペレータは、閉塞順序を選択することができるので、作業手順を効率化することができる。
【００５４】
作業対象設備決定部２６は、作業担当端末装置１０Ｘから作業対象設備として選択された機器またはポート部の情報を受け取ると、受け取った停止予定設備の選択情報Ｃｄｆを作業対象設備として決定し、この選択された作業対象設備情報Ｃｄｆを作業対象設備担当端末装置抽出部２７に出力するようになっている。作業対象設備担当端末装置抽出部２７は、作業対象設備決定部２６から選択された作業対象設備情報Ｃｄｆを受け取ると、この選択された作業対象設備情報Ｃｄｆに基づき、構成管理データベース２２からこの停止作業対象設備Ｃｄｆが属する保守担当域を所管する端末装置１０Ｙ１、１０Ｙ２・・・１０Ｙｎを抽出し、抽出された作業対象設備担当端末装置１０Ｙ１〜１０Ｙｎの特定情報を承認処理部２８に出力するようになっている。
【００５５】
承認処理部２８は、受け取った作業対象設備担当端末装置１０Ｙ１〜１０Ｙｎの特定情報に基づき、特定された作業対象設備担当端末装置１０Ｙ１〜１０Ｙｎに、作業担当端末装置１０Ｘにより選択され、それぞれ対応する保守担当域に属する停止作業の対象とすべき通信設備の情報Ｃｄｆ（機器の情報Ｉｍｃ−Ｃｄｆ、ポート部の情報ｐ００ｎ−Ｃｄｆ）と停止日時の情報Ｉｄｔとを送信し、当該作業対象設備担当端末装置１０Ｙ１〜１０Ｙｎが停止作業の実施を承認するか否かの承認要求を行うようになっている。また、承認処理部２８は、この承認要求を行った後、これら作業対象設備担当端末装置１０Ｙ１〜１０Ｙｎから停止作業実施承認の諾否の情報を受け取ると、この諾否情報を作業計画管理部２１に出力するようになっている。作業計画管理部２１は、上述のように、承認処理部２８から停止作業について諾否の判別結果を受け取ると、この判別結果に基づいて予定された停止作業計画情報ＰＬの可否を決定するとともに、停止作業実施の可否の決定を作業担当端末装置１０Ｘに送信して表示させるようになっている。停止作業の実施が可の場合、最終的な停止計画情報ＰＬｆが作業計画管理部２１を通じて作業計画データベースに２３に登録され、後述する当日作業計画管理部３０に出力されるとともに作業担当端末装置１０Ｘに表示される。停止作業の実施が不可の場合、一連の停止作業の処理は終了して仮の停止計画情報ＰＬはキャンセルされ、作業担当のオペレータは、改めて後日の作業計画を練り直す。
【００５６】
このようにして、センターサーバ１１の運用管理系システム部１１Ａでは、停止作業当日の前に、作業担当のオペレータにより作業担当端末装置１０Ｘを通じて予定された停止計画情報ＰＬが入力されると、作業計画部２１がこの停止計画情報ＰＬを物理網・論理網・局内構成図描画部２４に出力し、物理網・論理網・局内構成図描画部２４は、受け取った停止計画情報ＰＬを閉塞対象候補抽出部２５に出力する。閉塞対象候補抽出部２５は、構成管理データベース２２に格納された通信設備の情報に基づいて、停止予定設備の回線に関連する機器またはポート部の候補を抽出し、抽出された候補情報Ｃｄを物理網・論理網・局内構成図描画部２４に出力する。物理網・論理網・局内構成図描画部２４は、受け取った候補情報Ｃｄに基づいて、作業担当端末１０Ｘの画面上で、停止予定通信設備の停止計画情報ＰＬに基づいて表示された物理網構成図、論理網構成図および局内構成図のうちいずれかの構成図に、停止予定設備Ｉｍｃの回線に関連する機器またはポート部の候補情報Ｃｄを表示させるようになっている。そして、作業担当のオペレータにより作業担当端末装置１０Ｘを通じて候補情報Ｃｄから作業対象とすべき機器または機器のポート部Ｃｄｆが選択されると、その選択された選択情報Ｃｄｆがセンターサーバ１１の運用管理系システム部１１Ａに送信される。運用管理系システム部１１Ａでは、受け取った停止予定設備の選択情報Ｃｄｆを作業対象設備として決定するとともに、構成管理データベース２２に格納された通信設備の情報に基づいて、作業対象として選択された機器Ｉｍｃ−Ｃｄｆまたはポート部ｐ００ｎ−Ｃｄｆを自らの保守担当域に有し当該機器Ｉｍｃ−Ｃｄｆまたは当該ポート部ｐ００ｎ−Ｃｄｆを管理する端末装置１０Ｙ１〜１０Ｙｎを作業対象設備担当端末装置として抽出し、抽出された作業対象設備担当端末装置１０Ｙ１〜１０Ｙｎにそれぞれの保守担当域毎に予定された停止日時Ｉｄｔと選択された機器または機器のポート部の情報Ｃｄｆを送信して、停止作業実施承認の諾否を求め、作業対象設備担当端末装置１０Ｙ１〜１０Ｙｎから停止作業について諾否の判別結果Ａｙ／ｎを受け取ると、この判別結果Ａｙ／ｎに基づいて予定された停止作業実施の可否を最終的に決定するとともに、停止作業実施の可否の決定を作業担当端末装置１０Ｘに送信して表示させるようになっている。
【００５７】
センターサーバ１１の監視制御系システム部１１Ｂは、作業計画データベース（データベース）２３と、当日作業計画管理部（当日作業計画管理手段）３０と、当日承認処理部（当日承認処理手段）３１と、制御コマンド文法データベース（制御コマンド生成手段）３２と、制御コマンド生成部（制御コマンド生成手段）３３と、回線状態確認部（回線状態確認手段）３４と、閉塞・閉塞解除制御部（停止・停止解除制御手段）３５とを備えて構成される。
【００５８】
当日作業計画管理部３０は、停止作業当日の作業開始所定時間前（本実施例では作業開始ｔ１分前、ｔ１分は、例えば、３０分、６０分、１８０分というように、すなわち、ｔ１分前は３０分前、１時間前、３時間前というように作業に応じて決定される。）、停止作業当日前に予め作業計画データベース２３から受け取った最終的な登録済み停止計画情報ＰＬｆに基づいて、この最終的な登録済み停止計画情報ＰＬｆとすでに特定されている停止作業の通信設備を管理する作業対象設備担当端末装置１０Ｙ１〜１０Ｙｎの特定情報を当日承認処理部３１に出力する。また、当日作業計画管理部３０は、上記作業対象設備担当端末装置１０Ｙ１〜１０Ｙｎから当日の停止作業について諾否の判別結果Ａｆｙ／ｎを当日承認処理部３１を通じて受け取ると、この判別結果Ａｆｙ／ｎに基づいて登録された最終的な登録済み停止計画情報ＰＬｆによる当日実施について開始の可否を作業担当端末装置１０Ｘに送信して表示させるようになっている。さらに、当日作業計画管理部３０は、作業担当端末装置１０Ｘから作業対象となる機器Ｉｍｃ−Ｃｄｆまたはポート部ｐ００ｎ−Ｃｄｆに対し回線状態を確認するよう要求する指令を受け取ると、この指令を回線状態確認部３４に送出するようになっている。また、当日作業計画管理部３０は、作業担当端末装置１０Ｘから作業対象となる機器Ｉｍｃ−Ｃｄｆまたはポート部ｐ００ｎ−Ｃｄｆについて閉塞（停止）または閉塞解除（停止解除）を要求する指令を受け取ると、この指令を閉塞・閉塞解除制御部３５に送出するようになっている。
【００５９】
当日承認処理部３１は、当日作業計画管理部３０から最終的な登録済み停止計画情報ＰＬｆと作業対象設備担当端末装置１０Ｙ１〜１０Ｙｎの特定情報とを受け取ると、この特定情報に基づき、特定された作業対象設備担当端末装置１０Ｙ１〜１０Ｙｎに、最終的な登録済み停止計画情報ＰＬｆに基づいて、作業当日の作業対象とすべき機器Ｉｍｃ−Ｃｄｆまたはポート部ｐ００ｎ−Ｃｄｆの情報Ｃｄｆと停止日時の情報Ｉｄｔを送信し、当該作業対象設備担当端末装置１０Ｙ１〜１０Ｙｎが当日の停止作業実施を承認するか否かの当日承認要求を行うとともに、これら作業対象設備担当端末装置１０Ｙ１〜１０Ｙｎから承認の諾否の情報Ａｆｙ／ｎを受け取ると、この当日作業諾否情報Ａｆｙ／ｎを当日作業計画管理部３０に出力するようになっている。当日作業計画管理部３０は、当日承認処理部３１から当日の停止作業について諾否の判別結果Ａｆｙ／ｎを受け取ると、この判別結果Ａｆｙ／ｎに基づいて登録された停止計画情報ＰＬｆによる当日作業実施の可否を決定するとともに、当日停止作業開始の可否の決定を作業担当端末装置１０Ｘに送信して表示させるようになっている。当日停止作業の開始が可の場合、作業担当端末装置１０Ｘを通じて、実作業が開始される。当日停止作業の開始が不可の場合、一連の停止作業の処理は終了し登録された停止計画情報ＰＬｆはキャンセルされ、作業担当のオペレータは、改めて後日の作業計画を練り直す。
【００６０】
回線状態確認部３４は、作業担当端末装置１０Ｘから当日作業計画管理部３０を通じて、回線状態を確認するよう要求する指令を受け取ると、この指令に基づいて制御コマンド生成部３３に回線状態情報要求コマンド生成とそのコマンド投入の要求を指令するようになっている。制御コマンド生成部３３は、回線状態確認部３４からの指令に基づき、制御コマンドを生成する文法が格納された制御コマンド文法データベース３２により回線状態情報要求コマンドを生成し、作業対象の機器Ｉｍｃ−Ｃｄｆまたはポート部ｐ００ｎ−Ｃｄｆに対し、回線状態の確認を要求する情報を送出するようになっている。回線状態確認部３４は、作業対象の機器Ｉｍｃ−Ｃｄｆまたはポート部ｐ００ｎ−Ｃｄｆが回線状態確認要求に応え、回線状態の情報をセンターサーバ１１に送ってくると、この回線状態の情報を受け取り、作業担当端末装置１０Ｘに送信して表示させるようになっている。
【００６１】
閉塞・閉塞解除制御部３５は、作業担当端末装置１０Ｘから当日作業計画管理部３０を通じて、作業対象の機器Ｉｍｃ−Ｃｄｆまたはポート部ｐ００ｎ−Ｃｄｆについて閉塞を要求する指令を受け取ると、この指令に基づいて制御コマンド生成部３３に閉塞要求コマンドを生成するように指令する。制御コマンド生成部３３は、閉塞・閉塞解除制御部３５からの指令に基づき、制御コマンド文法データベース３２により閉塞要求コマンドを生成し、作業対象の機器Ｉｍｃ−Ｃｄｆまたはポート部ｐ００ｎ−Ｃｄｆに対し、閉塞を要求する情報を送出するようになっている。閉塞・閉塞解除制御部３５は、閉塞要求を受けた作業対象の機器または機器のポート部Ｃｄｆから閉塞実行の結果が送信されてくると、その実行結果を作業担当端末装置１０Ｘに送信して表示させるようになっている。また、閉塞・閉塞解除制御部３５は、作業担当端末装置１０Ｘから当日作業計画管理部３１を通じて、閉塞中の機器Ｉｍｃ−Ｃｄｆまたはポート部ｐ００ｎ−Ｃｄｆについて閉塞解除を要求する指令を受け取ると、この指令に基づいて制御コマンド生成部３３に閉塞解除要求コマンドを生成するよう指令するようになっている。制御コマンド生成部３３は、閉塞・閉塞解除制御部３５からの指令に基づき、制御コマンド文法データベース３２により閉塞解除要求コマンドを生成し、閉塞中の機器Ｉｍｃ−Ｃｄｆまたはポート部ｐ００ｎ−Ｃｄｆに対し、閉塞解除を要求する情報を送出するようになっている。閉塞・閉塞解除制御部３５は、閉塞解除要求を受けた閉塞中の機器Ｉｍｃ−Ｃｄｆまたはポート部ｐ００ｎ−Ｃｄｆから閉塞解除実行の結果が送信されてくると、その実行結果を作業担当端末装置１０Ｘに送信して表示させるようになっている。以下、閉塞対象（停止対象）となるのは、機器（ＩＰ機器）Ｉｍｃ−ＣｄｆまたはＩＰ機器のポート部ｐ００ｎ−Ｃｄｆのうち少なくともいずれか一方であればよい。
【００６２】
次に、本発明に係るネットワークの作業管理方法について、上記実施例に係るネットワークの作業管理システムの作用に基づいて説明する。
まず、当日作業前に、作業担当者は作業担当端末装置１０Ｘを通じて、仮の予定停止計画情報ＰＬをセンターサーバ１１に送信し、閉塞予定候補の絞り込みを行う。
すなわち、図２および図３に示すように、ネットワークの回線について将来の停止作業を予定している作業担当者は、自らの保守担当域を所管する端末装置、すなわち、作業担当端末装置１０Ｘを通じて、事前に仮の予定停止計画情報ＰＬをセンターサーバ１１に送信すると（図２のＡ−１参照）、この予定停止計画情報ＰＬはセンターサーバ１１の作業計画管理部２１に入力される。次に、作業計画管理部２１が、この予定停止計画情報ＰＬのうち停止予定設備の情報Ｉｍｃを物理網・論理網・局内構成図描画部２４に送出すると（図２のＡ−２参照）、物理網・論理網・局内構成図描画部２４は、入力された停止予定設備の情報Ｉｍｃに基づいて、構成管理データベース２２から物理回線構成情報Ｐｈと装置構成情報Ａｐと論理回線構成情報Ｌｇとを抽出する（図２のＡ−３参照）。そして、物理網・論理網・局内構成図描画部２４は、これら抽出された物理回線構成情報Ｐｈ、装置構成情報Ａｐおよび論理回線構成情報Ｌｇとに基づいて網構成図や装置構成図などの構成図を描画処理して作業担当端末装置１０Ｘに表示させる。また、物理網・論理網・局内構成図描画部２４は作業計画管理部２１から受け取った停止予定設備の情報Ｉｍｃを閉塞対象候補抽出部２５に送出する（図２のＡ−４参照）。閉塞対象候補抽出部２５は、物理網・論理網・局内構成図描画部２４から受け取った停止予定設備の情報Ｉｍｃに基づいて、停止予定設備Ｉｍｃ（例えば、図４に示すルータ装置「Ａ」）の回線に関連する機器とそのポート部の候補を抽出し、抽出された停止予定設備Ｉｍｃの回線に関連する機器（例えば、図４に示すルータ装置「Ｃ」、「Ｂ」、「Ｉ」）とそのポート部（例えば、図４に示す「Ｃ：ｐ００２」、「Ａ：ｐ００１」、「Ｂ：ｐ００３」、「Ａ：ｐ００２」、「Ｉ：ｐ００１」、「Ａ：ｐ００３」で、「機器：ｐ００ｎ」（ｎは自然数）で表す。）の候補情報Ｃｄを物理網・論理網・局内構成図描画部２４に出力する（図２のＡ−５、図５および図６参照）。物理網・論理網・局内構成図描画部２４は、閉塞対象候補抽出部２５から受け取った抽出された閉塞予定の機器とそのポート部の候補情報Ｃｄに基づいて、作業担当端末装置１０Ｘに表示させ描画処理されている構成図にこれら候補情報Ｃｄを反映させる（図２のＡ−６参照）。
【００６３】
次に、作業担当端末装置１０Ｘのオペレータにより閉塞予定候補のうち停止作業対象とすべき通信設備を選択し、選択された候補情報Ｃｄｆに基づいて、その候補の属する保守担当域の作業対象設備担当端末装置１０Ｙｎを特定し、特定された作業対象設備担当端末装置１０Ｙｎに停止作業の承認を求める。
すなわち、作業担当端末装置１０Ｘでは、閉塞予定の候補情報Ｃｄが反映された物理網構成図、論理網構成図および局内構成図が表示されると、オペレータは、閉塞作業の対応を調整し、この候補の中から閉塞作業の対象とすべき機器Ｉｍｃ−Ｃｄｆ（例えば、図４に示すルータ装置「Ａ」と「Ｃ」）とそのポート部ｐ００ｎ−Ｃｄｆ（例えば、図４に示すルータ装置「Ｃ」のポート部ｐ００２「Ｃ：ｐ００２」とルータ装置「Ａ」のポート部ｐ００１「Ａ：ｐ００１」）を選択する。オペレータが閉塞作業の対象とすべき機器Ｉｍｃ−Ｃｄｆのポート部ｐ００ｎ−Ｃｄｆを選択すると、これら選択された閉塞作業の対象とすべき機器Ｉｍｃ−Ｃｄｆとそのポート部ｐ００ｎ−Ｃｄｆの情報Ｃｄｆは作業対象設備決定部２６に送信される（図２のＡ−７参照）。作業対象設備決定部２６は、作業担当端末装置１０Ｘから作業対象設備として選択された機器Ｉｍｃ−Ｃｄｆとそのポート部ｐ００ｎ−Ｃｄｆの情報Ｃｄｆを受け取ると、受け取った停止予定設備の情報Ｃｄｆを作業対象設備として仮決定し、この作業対象設備情報Ｃｄｆを作業対象設備担当端末装置抽出部２７に出力する（図２のＡ−８参照）。作業対象設備担当端末装置抽出部２７は、作業対象設備決定部２６から作業対象設備情報Ｃｄｆを受け取ると、この作業対象設備情報Ｃｄｆに基づき、構成管理データベース２２からこの停止作業対象設備Ｃｄｆが属する保守担当域を所管する端末装置１０Ｙ１、１０Ｙ２・・・１０Ｙｎを抽出し、抽出された作業対象設備担当端末装置１０Ｙ１〜１０Ｙｎを特定する特定情報を承認処理部２８に出力する。承認処理部２８は、受け取った作業対象設備担当端末装置１０Ｙ１〜１０Ｙｎの特定情報に基づき、特定された作業対象設備担当端末装置１０Ｙ１〜１０Ｙｎに、それぞれ対応する保守担当域に属する選択された停止作業の対象とすべき機器Ｉｍｃ−Ｃｄｆとそのポート部ｐ００ｎ−Ｃｄｆの情報Ｃｄｆと停止日時の情報Ｉｄｔを送信し、該当する作業対象設備担当端末装置１０Ｙ１〜１０Ｙｎが停止作業の実施を承認するか否かの承認要求を行う（図２のＡ−９参照）。
【００６４】
次に、特定された作業対象設備担当端末装置１０Ｙｎから受け取った停止作業の諾否情報Ａｙ／ｎを、作業担当端末装置１０Ｘに知らせ、作業当日前までに最終的な停止計画情報ＰＬｆを登録する。
作業対象設備担当端末装置１０Ｙ１〜１０Ｙｎは、承認処理部２８から停止作業承認の諾否を求められると、これら該当する作業対象設備担当端末装置１０Ｙ１〜１０Ｙｎのオペレータは、自らが管理する通信設備について、停止作業の実施を承認するかどうか、内容を確認して閉塞作業の対応を調整し、承認の諾否情報Ａｙ／ｎを承認処理部２８に送信する（図２のＡ−１０参照）。承認処理部２８は該当する作業対象設備担当端末装置１０Ｙ１〜１０Ｙｎのすべてから承認の諾否情報Ａｙ／ｎを受け取ると、これら諾否情報Ａｙ／ｎを作業計画管理部２１に出力する（図２のＡ−１１参照）。作業計画管理部２１は、諾否情報Ａｙ／ｎを受け取ると、この諾否情報Ａｙ／ｎに基づいて予定された停止作業実施の可否を決定するとともに、停止作業実施の可否の決定の情報（実施可：Ａｙ、実施不可：Ａｎ）を作業担当端末装置１０Ｘに送信して表示させる。
【００６５】
すなわち、作業計画管理部２１は、承認処理部２８からの判別結果Ａｙ／ｎに基づいて予定された停止作業の実施を決定すると、この停止作業を最終的な停止計画情報ＰＬｆとして停止のエントリーを最終的に決定する。つまり、作業計画管理部２１は、この予定停止計画情報ＰＬについて所定の時間で締め切り処理を行ってその作業計画を決定する処理を行い、停止のエントリーが決定された最終的な停止計画情報ＰＬｆ（停止日時の情報Ｉｄｔと停止予定設備の情報Ｉｍｃ−Ｃｄｆとそのポート部ｐ００ｎ−Ｃｄｆの情報Ｃｄｆ）を作業計画データベース２３に格納させて登録する（図２のＡ−１２、図３の作業当日前工程Ｉおよび図７参照）。逆に、作業計画管理部２１が、承認処理部２８からの判別結果Ａｙ／ｎに基づいて予定された停止作業ＰＬの不実施を決定すると、その不実施の結果Ａｎを作業担当端末装置１０Ｘに送信して表示させるとともに、一連の処理を終了し停止作業計画ＰＬはキャンセルされる。作業担当端末装置１０Ｘは不実施の結果Ａｎが送られてくると、停止作業ＰＬについての作業計画を破棄し、作業担当のオペレータは改めて作業計画を練り直す。以上の工程（Ａ−１〜Ａ−１２）は、作業当日前までに行われる。作業当日前までに予め該当する作業対象設備担当端末装置１０Ｙ１〜１０Ｙｎすべてから承認を受けた最終的な停止計画情報ＰＬｆが登録されると、作業当日を待つ。なお、最終的な停止計画情報ＰＬｆの登録は、作業担当者自らの保守担当域（自支社の担当域、本実施例の場合、作業担当端末装置１０Ｘが所管する保守担当域）に属する通信設備１２であろうと、他の保守担当域（他支社の担当域、本実施例の場合、作業対象設備担当端末装置１０Ｙｎが所管する保守担当域）に属する通信設備１２であろうと関係なく行われる。すなわち、承認処理部２８による停止作業承認要求は、停止作業対象に作業担当端末装置１０Ｘが所管する保守担当域に属する通信設備１２が含まれている場合、作業担当端末装置１０Ｘにも停止作業承認要求が行われる。
【００６６】
作業当日は、作業開始の所定時間前に、すでに特定されている作業対象設備担当端末装置１０Ｙｎに当日の停止作業の承認を再度求め、承認を得る。
作業当日、当日作業計画管理部３０は、作業開始の所定時間前（本実施例では、作業開始のｔ１分以上前）に、最終的な停止計画情報ＰＬｆが登録されてから作業当日までの間に、停止作業に対する状況の変化があったかどうかの確認を行う。すなわち、当日作業計画管理部３０は、作業開始のｔ１分前になると、作業計画データベース２３から最終的な登録済み停止計画情報ＰＬｆを取り出し（図２のＢ−１、図３の作業当日の作業開始前工程ＩＩ参照）、作業計画データベース２３より得た停止日時の情報Ｉｄｔと停止予定設備の情報Ｉｍｃ−Ｃｄｆとその閉塞対象ポート部ｐ００ｎ−Ｃｄｆの情報Ｃｄｆと、当日の停止作業の通信設備を管理する作業対象設備担当端末装置１０Ｙ１〜１０Ｙｎを特定する特定情報とを当日承認処理部３１に送出する。当日承認処理部３１は、受け取った各情報に基づき、特定された作業対象設備担当端末装置１０Ｙ１〜１０Ｙｎに、作業当日の作業対象とすべき機器とポート部の情報Ｃｄｆと停止日時の情報Ｉｄｔを送信し、当該作業対象設備担当端末装置１０Ｙ１〜１０Ｙｎが当日の停止作業実施を承認するか否かの当日承認要求を行う（図２のＢ−２参照）。作業対象設備担当端末装置１０Ｙ１〜１０Ｙｎは、当日承認処理部３１から当日の停止作業承認の諾否を求める情報が送られてきて、該当するその当日停止作業承認の諾否を求める情報を表示すると、これら該当する作業対象設備担当端末装置１０Ｙ１〜１０Ｙｎのオペレータが、自らが所管する通信設備について、当日停止作業を承認するかどうか、内容を確認し、承認の諾否情報Ａｆｙ／ｎを当日承認処理部３１に送信する。そして、当日承認処理部３１は、これら該当する作業対象設備担当端末装置１０Ｙ１〜１０Ｙｎすべてから承認の諾否情報Ａｆｙ／ｎを受け取ると（図２のＢ−３参照）、この当日作業諾否情報Ａｆｙ／ｎを当日作業計画管理部３０に出力する（図２のＢ−４参照）。当日作業計画管理部３０は、当日承認処理部３１から当日作業諾否情報Ａｆｙ／ｎを受け取ると、この諾否の判別結果Ａｆｙ／ｎに基づいて登録された停止作業計画ＰＬｆによる当日作業実施または当日作業不実施を決定するとともに、当日停止作業実施の可否の決定（当日停止作業実施可：Ａｆｙ、当日停止作業実施不可：Ａｆｎ）を作業担当端末装置１０Ｘに送信して表示させる。
【００６７】
すなわち、当日作業計画管理部３０は、当日承認処理部３１からの判別結果Ａｆｙ／ｎに基づいて登録された停止計画情報ＰＬｆによる当日実施を決定すると、この停止計画情報ＰＬｆについて当日作業が開始可能である旨の通知Ａｆｙを作業担当端末装置１０Ｘに送信して表示させる（図２のＢ−５参照）。他方、当日作業計画管理部３０は、当日承認処理部３１からの判別結果Ａｆｙ／ｎに基づいて最終的な停止計画情報ＰＬｆによる当日不実施を決定すると、その当日不実施の結果Ａｆｎを作業担当端末装置１０Ｘに送信して表示させるとともに、一連の処理を終了し登録された停止計画情報ＰＬｆをキャンセルする。作業担当端末装置１０Ｘは当日不実施の結果Ａｆｎが送られてくると、予定された停止計画情報ＰＬｆによる作業計画を破棄し、作業担当のオペレータは新たに作業計画を練り直す。
【００６８】
作業対象設備担当端末装置１０Ｙｎから当日の停止作業実施の承認を得れば、回線状態を確認して閉塞制御を実行し、さらに、その閉塞制御実行後の回線状態を確認し、異常がなければ実作業を開始する。
作業担当端末装置１０Ｘのオペレータは、当日作業計画管理部３０から停止計画情報ＰＬｆによる当日作業実施が開始可能である旨の通知Ａｆｙを受け取ると、サーバ１１に予定時刻をもって作業を開始する旨の通知を送信する（図２のＣ−１参照）。また、作業担当端末装置１０Ｘのオペレータは、サーバ１１に作業を開始する旨の通知を送信すると、次に、サーバ１１に回線状態の確認を求める（図２のＣ−２および図３の作業当日の回線状態確認および閉塞作業工程ＩＩＩ参照）。
【００６９】
当日作業計画管理部３０は、作業担当端末装置１０Ｘから回線状態の確認要求を受け取ると、回線状態確認部３４に回線状態の確認が必要な機器とそのポート部の情報Ｃｄｆ（停止予定設備の情報Ｉｍｃ−Ｃｄｆとそのポート部ｐ００ｎ−Ｃｄｆの情報Ｃｄｆ）を送出する（図２のＣ−３参照）。回線状態確認部３４は、この情報Ｃｄｆを受け取ると、この情報Ｃｄｆに基づいて、制御コマンド生成部３３に回線状態確認用のコマンドの生成要求とそのコマンド投入の要求を行う（図２のＣ−４参照）。制御コマンド生成部３３は、回線状態確認用のコマンドの生成要求とそのコマンド投入の要求とを受け取ると、制御コマンド文法データベース３２の情報に基づいて、回線状態確認コマンドを生成し、この回線状態確認コマンドを対象となる機器Ｉｍｃ−Ｃｄｆとポート部ｐ００ｎ−Ｃｄｆに通信制御部２０を介して投入する（図２のＣ−５参照）。
【００７０】
通信設備１２のうち、対象となる機器Ｉｍｃ−Ｃｄｆとポート部ｐ００ｎ−Ｃｄｆに回線状態確認コマンドが投入されると、対象となる機器Ｉｍｃ−Ｃｄｆとポート部ｐ００ｎ−Ｃｄｆ、すなわち、作業対象となる通信設備１２は、回線状態を確認し、回線状態確認コマンドの投入結果Ｒｃｎｆ１をサーバ１１に送信する（図２のＣ−６参照）。回線状態確認部３４は、作業対象となる通信設備１２から回線状態を確認する回線状態結果Ｒｃｎｆ１を受け取ると、この回線状態結果Ｒｃｎｆ１を作業担当端末装置１０Ｘに送信して表示させる（図２のＣ−７参照）。作業担当端末装置１０Ｘのオペレータは、表示された作業対象となる通信設備１２の回線状態結果Ｒｃｎｆ１から回線状態が確認された通信設備１２について、サーバ１１に閉塞制御実行の要求を行う（図２のＣ−８参照）。閉塞制御実行の要求は、作業対象となる通信設備１２が作業担当者自らの保守担当域（自支社の担当域）に属する通信設備１２であろうと、他の保守担当域（他支社の担当域）に属する通信設備１２であろうと関係なく行われる。
【００７１】
当日作業計画管理部３０は、作業担当端末装置１０Ｘから閉塞制御実行の要求が送られてくると、閉塞・閉塞解除制御部３５に閉塞制御を実行する対象となる機器とそのポート部の情報Ｃｄｆを送出する（図２のＣ−９参照）。閉塞・閉塞解除制御部３５は、当日作業計画管理部３０から閉塞制御の対象となる機器とそのポート部の情報Ｃｄｆを受け取ると、この情報Ｃｄｆに基づいて、制御コマンド生成部３３に閉塞制御用のコマンドの生成要求とそのコマンド投入の要求を行う（図２のＣ−１０参照）。制御コマンド生成部３３は、閉塞制御用のコマンドの生成要求とそのコマンド投入の要求とを受け取ると、制御コマンド文法データベース３２の情報に基づいて、閉塞制御コマンドを生成し、この閉塞制御コマンドを対象となる機器Ｉｍｃ−Ｃｄｆとポート部ｐ００ｎ−Ｃｄｆとに通信制御部２０を介して投入する（図２のＣ−１１参照）。対象となる機器Ｉｍｃ−Ｃｄｆとポート部ｐ００ｎ−Ｃｄｆとに閉塞制御コマンドが投入されると、対象となる機器Ｉｍｃ−Ｃｄｆとポート部ｐ００ｎ−Ｃｄｆは、閉塞され、閉塞制御コマンドの投入結果Ｒｃｎｆ２をサーバ１１に送信する（図２のＣ−１２参照）。閉塞・閉塞解除制御部３５は、作業対象となる通信設備１２から閉塞制御を確認する閉塞制御コマンドの投入結果Ｒｃｎｆ２を受け取ると、この閉塞制御コマンドの投入結果Ｒｃｎｆ２を作業担当端末装置１０Ｘに送信して表示させる（図２のＣ−１３参照）。作業担当端末装置１０Ｘのオペレータは、表示された作業対象となる通信設備１２の閉塞制御コマンドの投入結果Ｒｃｎｆ２から閉塞制御が実行されたかどうか確認する。
【００７２】
次に、作業担当端末装置１０Ｘのオペレータは、表示された閉塞制御コマンドの投入結果Ｒｃｎｆ２から閉塞制御が実行されたかどうか確認すると、再度、閉塞実行後の回線状態を確認する。つまり、作業担当端末装置１０Ｘのオペレータは、閉塞制御実行の確認後、サーバ１１に回線状態の確認を求め（図２のＣ−１４参照）、サーバ１１の当日作業計画管理部３０は、回線状態の確認要求を受け取ると、回線状態確認部３４に閉塞制御実行後の、回線状態の確認が必要な機器とポート部の情報Ｃｄｆ−ｏｆｆ（閉塞制御実行後の設備の情報Ｉｍｃ−Ｃｄｆ−ｏｆｆとポート部ｐ００ｎ−Ｃｄｆ−ｏｆｆの情報Ｃｄｆ−ｏｆｆ）を送出し（図２のＣ−１５参照）、回線状態確認部３４は、回線状態の確認が必要な機器とポート部の情報Ｃｄｆ−ｏｆｆを受け取ると、この情報Ｃｄｆ−ｏｆｆに基づいて、制御コマンド生成部３３に回線状態確認用のコマンドの生成要求とそのコマンド投入の要求を行う（図２のＣ−１６参照）。制御コマンド生成部３３は、回線状態確認部３４から回線状態確認用のコマンドの生成要求とそのコマンド投入の要求とを受け取ると、制御コマンド文法データベース３２の情報に基づいて、回線状態確認コマンドを生成し、この回線状態確認コマンドを対象となる機器Ｉｍｃ−Ｃｄｆ−ｏｆｆとポート部ｐ００ｎ−Ｃｄｆ−ｏｆｆに通信制御部２０を介して投入し（図２のＣ−１７参照）、対象となる機器Ｉｍｃ−Ｃｄｆ−ｏｆｆとポート部ｐ００ｎ−Ｃｄｆ−ｏｆｆとに回線状態確認コマンドが投入されると、対象となる機器Ｉｍｃ−Ｃｄｆ−ｏｆｆとポート部ｐ００ｎ−Ｃｄｆ−ｏｆｆは、回線状態を確認し、回線状態確認コマンドの投入結果Ｒｃｎｆ３をサーバ１１に送信する（図２のＣ−１８参照）。回線状態確認部３４は、閉塞制御された通信設備１２から回線状態を確認する回線状態結果Ｒｃｎｆ３を受け取ると、この回線状態結果Ｒｃｎｆ３を作業担当端末装置１０Ｘに送信して表示させる（図２のＣ−１９参照）。こうして、作業担当のオペレータは、作業担当端末装置１０Ｘを通じて、閉塞制御実行後の回線状態を確認することができ、異常がなければ、工事作業者に実作業の許可を与える。工事作業者は作業担当のオペレータの許可により実作業を開始する。
【００７３】
次に、作業担当端末装置１０Ｘのオペレータは、実作業終了前に、作業対象設備担当端末装置１０Ｙｎに閉塞解除の事前承認を求め、実作業終了後、閉塞解除を行い、回線の復旧を確認し、停止作業を終了する。
まず、作業担当端末装置１０Ｘのオペレータは、実作業終了の所定時間前（本実施例では、実作業終了予定ｔ１分前）に、作業対象設備担当端末装置１０Ｙ１〜１０Ｙｎに対し閉塞中のポート部ｐ００ｎ−Ｃｄｆ−ｏｆｆについて閉塞解除の事前承認を求める。つまり、上述した図２のＢ−２〜Ｂ−５の工程を繰り返して閉塞解除承認の諾否を求める。実作業終了予定のｔ１分前、作業担当のオペレータは、作業担当端末装置１０Ｘを通じて、サーバ１１に閉塞解除承認の依頼を行う（図３の作業当日の実作業中から実作業終了工程ＩＶ参照）。当日作業計画管理部３０は、作業担当端末装置１０Ｘから閉塞解除承認の諾否請求の依頼を受けると、作業計画データベース２３から閉塞対象であって実作業中に閉塞制御された状態の機器Ｉｍｃ−Ｃｄｆ−ｏｆｆとポート部ｐ００ｎ−Ｃｄｆ−ｏｆｆとの情報Ｃｄｆ−ｏｆｆを抽出して、当日承認処理部３１に送出し、当日承認処理部３１は、実作業中で、閉塞制御状態の通信設備を管理する作業対象設備担当端末装置１０Ｙ１〜１０Ｙｎを特定し、この特定情報に基づき、特定された作業対象設備担当端末装置１０Ｙ１〜１０Ｙｎに、実作業中、閉塞制御状態の機器Ｉｍｃ−Ｃｄｆ−ｏｆｆと閉塞制御状態のポート部ｐ００ｎ−Ｃｄｆ−ｏｆｆとの情報Ｃｄｆ−ｏｆｆと停止日時の情報Ｉｄｔ（実作業終了予定時間）を送信し、当該作業対象設備担当端末装置１０Ｙ１〜１０Ｙｎが閉塞解除を承認するか否かの閉塞解除承認要求を行う（図２のＢ−２参照）。作業対象設備担当端末装置１０Ｙ１〜１０Ｙｎは、当日承認処理部３１から閉塞解除承認の諾否を求める情報が送られてきて、該当するその閉塞解除承認の諾否を求める情報を表示すると、これら該当する作業対象設備担当端末装置１０Ｙ１〜１０Ｙｎのオペレータが、自らが所管する通信設備について、閉塞解除を承認するかどうか、内容を確認し、承認の諾否情報Ａｆｙ／ｎを当日承認処理部３１に送信する。そして、当日承認処理部３１は、これら作業対象設備担当端末装置１０Ｙ１〜１０Ｙｎから承認の諾否の情報Ａｆｙ／ｎを受け取ると（図２のＢ−３参照）、この当日作業諾否情報Ａｆｙ／ｎを当日作業計画管理部３０に出力し（図２のＢ−４参照）、当日作業計画管理部３０は、当日承認処理部３１から閉塞解除諾否情報Ａｆｙ／ｎを受け取ると、この諾否の判別結果Ａｆｙ／ｎに基づいて閉塞解除承認または不承認を決定するとともに、閉塞解除の承認または不承認の決定Ａｆｙ、Ａｆｎを作業担当端末装置１０Ｘに送信して表示させる（図２のＢ−５参照）。不承認の決定Ａｆｎの場合、承認が得られるまでＢ−２〜Ｂ−５の工程を繰り返す。
【００７４】
作業担当端末装置１０Ｘのオペレータは、当日作業計画管理部３０から実作業中で、閉塞制御状態の機器Ｉｍｃ−Ｃｄｆ−ｏｆｆとそのポート部ｐ００ｎ−Ｃｄｆ−ｏｆｆを管理する作業対象設備担当端末装置１０Ｙ１〜１０Ｙｎすべてから承認を得た旨の通知を受け取ると、実作業終了確認後、上述した図２のＣ−２〜Ｃ−１９の工程を繰り返して、閉塞制御状態のポート部ｐ００ｎ−Ｃｄｆ−ｏｆｆに対し、回線状態確認の指令、回線状態確認後閉塞解除の指令、閉塞解除後回線状態確認の指令を順に送り、閉塞解除後回線状態を確認すると、回線復旧と見なし、作業終了通知をサーバ１１の作業計画管理部２１に送信し、登録された停止計画情報ＰＬｆによる実作業完了を伝える。作業計画管理部２１は、作業計画データベース２３に作業完了を登録して全作業を終了する。
【００７５】
閉塞制御状態の通信設備Ｉｍｃ−Ｃｄｆ−ｏｆｆと閉塞制御状態のポート部ｐ００ｎ−Ｃｄｆ−ｏｆｆの閉塞解除は、閉塞制御と同様の手順で行われる。すなわち、作業担当端末装置１０Ｘのオペレータは、サーバ１１に回線状態の確認を求め（図２のＣ−２および図３の作業当日の実作業中から実作業終了工程ＩＶ参照）、回線状態結果Ｒｃｎｆ１を得ると（図２のＣ−７参照）、作業担当端末装置１０Ｘのオペレータは、表示された閉塞解除の対象となる通信設備１２の回線状態結果Ｒｃｎｆ１から回線状態が確認された通信設備１２について、サーバ１１に閉塞解除制御実行の要求を行う（図２のＣ−８参照）。当日作業計画管理部３０は、閉塞解除制御実行の要求が送られてくると、閉塞・閉塞解除制御部３５に閉塞解除制御を実行する対象となる機器とポート部の情報Ｃｄｆ−ｏｆｆを送出し（図２のＣ−９参照）、閉塞・閉塞解除制御部３５は、この情報Ｃｄｆ−ｏｆｆを受け取ると、この情報Ｃｄｆ−ｏｆｆに基づいて、制御コマンド生成部３３に閉塞解除制御用のコマンドの生成要求とそのコマンド投入の要求を行い（図２のＣ−１０参照）、制御コマンド生成部３３は、これらの要求を受け取ると、制御コマンド文法データベース３２の情報に基づいて、閉塞解除制御コマンドを生成し、この閉塞解除制御コマンドを対象となる機器Ｉｍｃ−Ｃｄｆ−ｏｆｆとポート部ｐ００ｎ−Ｃｄｆ−ｏｆｆに投入する（図２のＣ−１１参照）。対象となる機器Ｉｍｃ−Ｃｄｆ−ｏｆｆとポート部ｐ００ｎ−Ｃｄｆ−ｏｆｆに閉塞解除制御コマンドが投入されると、機器Ｉｍｃ−Ｃｄｆ−ｏｆｆとそのポート部ｐ００ｎ−Ｃｄｆ−ｏｆｆは閉塞解除され、閉塞解除制御コマンドの投入結果Ｒｃｎｆ２をサーバ１１に送信する（図２のＣ−１２参照）。閉塞・閉塞解除制御部３５は、閉塞解除制御コマンドの投入結果Ｒｃｎｆ２を受け取ると、この投入結果Ｒｃｎｆ２を作業担当端末装置１０Ｘに送信して表示させ（図２のＣ−１３参照）、作業担当端末装置１０Ｘのオペレータは、表示された作業対象となる通信設備１２の閉塞解除制御コマンドの投入結果Ｒｃｎｆ２から閉塞解除制御が実行されたかどうか確認する。
【００７６】
次に、作業担当端末装置１０Ｘのオペレータは、表示された閉塞解除制御コマンドの投入結果Ｒｃｎｆ２から閉塞制御が実行されたかどうか確認すると、再度、閉塞解除実行後の回線状態を確認する。こうして、作業担当端末装置１０Ｘのオペレータは、回線状態を確認する回線状態結果Ｒｃｎｆ３を受け取ると、閉塞解除制御実行後の回線状態を確認することができ、異常がなければ、工事作業者に回線の復旧と実作業完了を知らせる。
【００７７】
このように、上記実施例に係るネットワークの作業管理方法では、人手を介さず停止対象とすべき通信設備の候補が表示されるので、検討する時間を短縮することができ、停止対象とすべき通信設備を決定する作業が迅速化される。また、自らの保守担当域と異なる他の保守担当域で停止作業を行う際、停止作業承認の依頼と承認の通知との遣り取りをセンターサーバと端末装置とを通じて行うので、作業者側と停止作業対象設備を有する被作業者側との間の調整が自動化される。
【００７８】
なお、上記実施例では、作業対象となる通信設備１２の閉塞制御および閉塞解除制御を機器Ｉｍｃとポート部ｐ００ｎについて行うようにしているが、これに限られるものではなく、機器Ｉｍｃ（ルータ、スイッチ、伝送装置等のＩＰ機器）自体を停止または停止解除するようにしてもよいし、機器Ｉｍｃと他の機器のポート部ｐ００ｎとの両者を停止または停止解除するようにしてもよいことはいうまでもない。また、作業対象設備担当端末装置抽出手段が、作業担当端末装置１０Ｘにより作業対象候補の中から選択された機器またはポート部の選択結果に基づいて、作業対象設備担当端末装置１０Ｙを抽出するようにしているがこれに限られるものではなく、作業計画管理部２１に作業担当端末装置１０Ｘから停止計画ＰＬが入力されると、この停止計画ＰＬに基づいて、構成管理データベース２２から停止計画ＰＬに含まれる停止予定設備を保守担当域に有する作業対象設備担当端末装置１０Ｙを抽出するようにしてもよい。この場合、停止計画ＰＬのうち、当該作業対象設備担当端末装置１０Ｙに関する情報も添付して送信するようにしてもよい。さらに、物理網・論理網・局内構成図描画部２４は、物理網構成図、論理網構成図および局内構成図を描画処理するようにしているが、これに限られるものではなく、物理網構成図、論理網構成図および局内構成図のうち少なくともいずれか１を描画処理するようにしてもよい。また、上記実施例では、作業担当端末装置１０Ｘを所定の保守担当域を所管する端末装置としているが、これに限られるものではなく、保守担当域を有していない端末装置であってもよいことはいうまでもない。さらに、上記実施例では、オペレータが、ポート部の候補に対してマニュアルで閉塞順序を選択することができるようにしているがこれに限られるものではなく、階層の位に応じて、閉塞候補の閉塞順序を決定する閉塞順位決定手段を設けるようにしてもよい。また、上記実施例のネットワークは、通信ネットワークについて述べているが、これに限られるものではなく、ネットワーク一般について適用可能であることはいうまでもない。さらに、上記実施例では、通信ネットワーク機器の閉塞作業や作業管理について述べているが、これに限られるものではなく、一般のネットワーク機器の閉塞作業や作業管理についても適用可能であることはいうまでもない。
【図面の簡単な説明】
【００７９】
【図１】本発明の一実施例に係るネットワークの作業管理システムを示すシステム構成図である。（実施例１）
【図２】図１のネットワークの作業管理システムの概念説明図である。
【図３】図１のネットワークの作業管理システムによる管理方法を時系列に従って説明した説明図であり、図中、ＩないしＩＶはそれぞれ、作業当日前工程、作業当日の作業開始前工程、作業当日の回線状態確認および閉塞作業工程および作業当日の実作業中から実作業終了工程を示す。
【図４】図１のネットワークの作業管理システムにおける作業対象となる停止予定設備の回線に関連する機器または機器のポート部の候補を抽出する例を示す説明図である。
【図５】図４の一例における事業所と回線と回線に関連する機器ならびにポート部の構成を示す説明図である。
【図６】図４の一例における事業所と回線と回線に関連する機器ならびにポート部の構成を示す説明図である。
【図７】停止作業当日前までに最終的な停止計画を登録する手順を示すフローチャートである。
【図８】閉塞候補を抽出する手順を示すフローチャートである。
【図９】作業対象設備担当端末装置を特定し作業実施の諾否を求める手順を示すフローチャートである。
【図１０】従来の、紙資料の中から人力による手作業で選び出して作成した作業計画を、監視制御システムに登録する例を示す概念説明図である。
【符号の説明】
【００８０】
１２  通信設備
１０  端末装置
１０Ｘ  作業担当端末装置
１１  センターサーバ
２２、２３  データベース
Ｃｄ  機器またはポート部の候補
ＰＬ  作業計画
ＰＬｆ  最終的な作業計画
【図１】
0005076943.tif 000002
【図２】
0005076943.tif 000003
【図３】
0005076943.tif 000004
【図４】
0005076943.tif 000005
【図５】
0005076943.tif 000006
【図６】
0005076943.tif 000007
【図７】
0005076943.tif 000008
【図８】
0005076943.tif 000009
【図９】
0005076943.tif 000010
【図１０】
0005076943.tif 000011